(57)【要約】      （修正有）【課題】遊技機が大型化しても、遊技者の円滑な操作性を確保することのできる遊技場用呼出システムを提供する。【解決手段】表示部を含む主呼出装置１と、呼出スイッチを含む遠隔呼出装置２とを備え、主呼出装置及び遠隔呼出装置は、送受信部１１、２１を含み、主呼出装置は、固有識別情報を記憶した記憶部１２と、制御部１３とを含み、遠隔呼出装置は、固有識別情報を記憶した記憶部２２と、自身の固有識別情報及びに呼出スイッチが操作された旨の情報を送受信部から送信させる制御部２３とを含み、主呼出装置の制御部は、受信した情報に、主呼出装置の固有識別情報と関連付けられた固有識別情報が含まれ、呼出スイッチが操作された旨の情報が含まれると判断すると、主呼出装置の表示部に呼出し状態である旨を表示させる。【選択図】図３
2019013674.tif 000002
【特許請求の範囲】
【請求項１】
遊技機の上方位置に配置される主呼出装置であって、呼出し状態である旨を表示可能な表示部を含む主呼出装置と、呼出スイッチを含む遠隔呼出装置とを備え、主呼出装置及び遠隔呼出装置のそれぞれは、無線通信用の送受信部を含み、主呼出装置は、当該主呼出装置自身の固有識別情報を記憶した記憶部と、制御部とを含み、遠隔呼出装置は、当該遠隔呼出装置自身の固有識別情報を記憶した記憶部と、呼出スイッチが操作されたときに、該記憶部に記憶された当該遠隔呼出装置自身の固有識別情報とともに呼出スイッチが操作された旨の情報を送受信部から送信させる制御部とを含み、主呼出装置の制御部は、当該主呼出装置の送受信部で受信した情報に、主呼出装置の記憶部に記憶された固有識別情報と関連付けられた固有識別情報が含まれ、且つ呼出スイッチが操作された旨の情報が含まれると判断すると、主呼出装置の表示部に呼出し状態である旨を表示させることを特徴とする遊技場用呼出システム。
【請求項２】
主呼出装置は、呼出スイッチを含み、遠隔呼出装置は、呼出し状態である旨を表示する表示部を含み、主呼出装置の制御部は、主呼出装置の呼出スイッチが操作されたときに、主呼出装置の表示部に呼出し状態である旨を表示させるとともに、主呼出装置の記憶部に記憶された当該主呼出装置自身の固有識別情報及び呼出スイッチが操作された旨の情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ呼出スイッチが操作された旨の情報が含まれると判断すると、遠隔呼出装置の表示部に呼出し状態である旨を表示させる、請求項１に記載の遊技場用呼出システム。
【請求項３】
ホールスタッフが保有するリモートコントローラを更に備え、リモートコントローラは、解除スイッチと、当該リモートコントローラ自身の固有識別情報を記憶した記憶部と、情報を無線送信可能な送信部と、解除スイッチが操作されたときに、リモートコントローラの記憶部に記憶された当該リモートコントローラ自身の固有識別情報とともに解除スイッチが操作された旨の情報を送信部から送信させる制御部とを含み、主呼出装置の記憶部及び遠隔呼出装置の記憶部は、リモートコントローラの記憶部に記憶された固有識別情報と関連付けられた共通の解除用識別情報を記憶し、主呼出装置の送受信部が情報を受信した場合、主呼出装置の制御部は、当該主呼出装置の送受信部で受信した情報に、主呼出装置の記憶部に記憶された解除用識別情報と関連付けられた固有識別情報が含まれ、且つ解除スイッチが操作された旨の情報が含まれると判断すると、主呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ解除スイッチが操作された旨の情報が含まれると判断すると、遠隔呼出装置の記憶部に記憶された当該遠隔呼出装置自身の固有識別情報及び解除スイッチが操作された旨の情報を送受信部から送信させ、主呼出装置の制御部は、当該主呼出装置の送受信部で受信した情報に、主呼出装置の記憶部に記憶された固有識別情報と関連付けられた固有識別情報が含まれ、且つ解除スイッチが操作された旨の情報が含まれると判断すると、主呼出装置の表示部における呼出し状態の表示を解除させる、請求項１又は２に記載の遊技場用呼出システム。
【請求項４】
遠隔呼出装置は、呼出し状態である旨を表示する表示部を含み、主呼出装置の送受信部が情報を受信した場合、主呼出装置の制御部は、当該主呼出装置の送受信部で受信した情報に、主呼出装置の記憶部に記憶された解除用識別情報と関連付けられた固有識別情報が含まれ、且つ解除スイッチが操作された旨の情報が含まれると判断すると、主呼出装置の記憶部に記憶された当該主呼出装置自身の固有識別情報及び解除スイッチが操作された旨の情報を送受信部から送信させ、遠隔呼出装置の制御部は、遠隔呼出装置の送受信部で受信した情報に、遠隔呼出装置の記憶部に記憶された固有識別情報と関連付けられた固有識別情報が含まれ、且つ解除スイッチが操作された旨の情報が含まれると判断すると、遠隔呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ解除スイッチが操作された旨の情報が含まれると判断すると、遠隔呼出装置の表示部における呼出し状態の表示を解除させる、請求項３に記載の遊技場用呼出システム。
【請求項５】
主呼出装置の制御部は、対応する遊技機と情報通信可能であり、遠隔呼出装置は、呼出し状態である旨を表示する表示部であって、対応する遊技機の遊技情報を表示可能な表示部と、主呼出装置に対して遊技機の遊技情報を要求するためのデータスイッチとを含み、遠隔呼出装置の制御部は、データスイッチが操作されたときに、遠隔呼出装置の記憶部に記憶された当該遠隔呼出装置自身の固有識別情報とともにデータスイッチが操作された旨の情報を送受信部から送信させ、主呼出装置の制御部は、当該主呼出装置の送受信部で受信した情報に、主呼出装置の記憶部に記憶された固有識別情報と関連付けられた固有識別情報が含まれ、且つデータスイッチが操作された旨の情報が含まれると判断すると、主呼出装置の記憶部に記憶された当該主呼出装置自身の固有識別情報とともに遊技機の遊技情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ遊技機の遊技情報が含まれると判断すると、遠隔呼出装置の表示部に遊技機の遊技情報を表示させる、請求項１乃至４の何れか１項に記載の遊技場用呼出システム。
【請求項６】
呼出し状態である旨を表示可能な表示部を有し且つ遊技機の上方位置に配置される呼出装置に設けられた通信ポートに対して情報通信可能に有線接続される通信モジュールと、呼出スイッチを含む遠隔呼出装置とを備え、通信モジュール及び遠隔呼出装置のそれぞれは、無線通信用の送受信部を含み、通信モジュールは、当該通信モジュール自身の固有識別情報を記憶した記憶部と、制御部とを含み、遠隔呼出装置は、当該遠隔呼出装置自身の固有識別情報を記憶した記憶部と、呼出スイッチが操作されたときに、記憶部に記憶された当該遠隔呼出装置自身の固有識別情報とともに呼出スイッチが操作された旨の情報を送受信部から送信させる制御部とを含み、通信モジュールの制御部は、当該通信モジュールの送受信部で受信した情報に、通信モジュールの記憶部に記憶された固有識別情報と関連付けられた固有識別情報が含まれ、且つ呼出スイッチが操作された旨の情報が含まれると判断すると、呼出装置と通信し、呼出装置に対して表示部に呼出し状態である旨を表示するよう指示することを特徴とする呼出装置遠隔操作ユニット。
【請求項７】
呼出装置は、当該呼出装置の表示部に呼出し状態である旨を表示させる呼出スイッチを含み、遠隔呼出装置は、呼出し状態である旨を表示する表示部を含み、通信モジュールの制御部は、呼出装置の呼出スイッチが操作された旨の情報を呼出装置から受けたときに、通信モジュールの記憶部に記憶された当該通信モジュール自身の固有識別情報及び呼出スイッチが操作された旨の情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ呼出スイッチが操作された旨の情報が含まれると判断すると、当該遠隔呼出装置の表示部に呼出し状態である旨を表示させる、請求項６に記載の呼出装置遠隔操作ユニット。
【請求項８】
通信モジュールの記憶部及び遠隔呼出装置の記憶部は、ホールスタッフが保有するリモートコントローラに設定された当該リモートコントローラ自身の固有識別情報と関連付けられた共通の解除用識別情報を記憶し、通信モジュールの送受信部が情報を受信した場合、通信モジュールの制御部は、当該通信モジュールの送受信部で受信した情報に、通信モジュールの記憶部に記憶された解除用識別情報と関連付けられた固有識別情報が含まれ、且つ呼出し状態を解除する旨の情報が含まれると判断すると、呼出装置と通信し、呼出装置に対して表示部における呼出し状態の表示を解除する旨を指示し、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ呼出し状態を解除する旨の情報が含まれると判断すると、遠隔呼出装置の記憶部に記憶された当該遠隔呼出装置自身の固有識別情報及び呼出し状態を解除する旨の情報を送受信部から送信させ、通信モジュールの制御部は、当該通信モジュールの送受信部で受信した情報に、通信モジュールの記憶部に記憶された固有識別情報と関連付けられた固有識別情報が含まれ、且つ呼出し状態を解除する旨の情報が含まれると判断すると、呼出装置と通信し、呼出装置に対して表示部における呼出し状態の表示を解除する旨を指示する、請求項６又は７に記載の呼出装置遠隔操作ユニット。
【請求項９】
遠隔呼出装置は、呼出し状態である旨を表示する表示部を含み、通信モジュールの送受信部が情報を受信した場合、通信モジュールの制御部は、当該通信モジュールの送受信部で受信した情報に、通信モジュールの記憶部に記憶された解除用識別情報と関連付けられた固有識別情報が含まれ、且つ呼出し状態を解除する旨の情報が含まれると判断すると、通信モジュールの記憶部に記憶された当該通信モジュール自身の固有識別情報及び呼出し状態を解除する旨の情報を送受信部から送信させ、遠隔呼出装置の制御部は、遠隔呼出装置の送受信部で受信した情報に、遠隔呼出装置の記憶部に記憶された固有識別情報と関連付けられた固有識別情報が含まれ、且つ呼出し状態を解除する旨の情報が含まれると判断すると、当該遠隔呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ呼出し状態を解除する旨の情報が含まれると判断すると、当該遠隔呼出装置の表示部における呼出し状態の表示を解除させる、請求項８に記載の呼出装置遠隔操作ユニット。
【請求項１０】
呼出装置は、対応する遊技機と情報通信可能であり、遠隔呼出装置は、呼出し状態である旨を表示する表示部であって、対応する遊技機の遊技情報を表示可能な表示部と、通信モジュールに対して遊技機の遊技情報を要求するためのデータスイッチとを含み、遠隔呼出装置の制御部は、データスイッチが操作されたときに、遠隔呼出装置の記憶部に記憶された当該遠隔呼出装置自身の固有識別情報とともにデータスイッチが操作された旨の情報を送受信部から送信させ、通信モジュールの制御部は、当該通信モジュールの送受信部で受信した情報に、通信モジュールの記憶部に記憶された固有識別情報と関連付けられた固有識別情報が含まれ、且つデータスイッチが操作された旨の情報が含まれると判断すると、通信モジュールの記憶部に記憶された当該通信モジュール自身の固有識別情報とともに呼出装置の保有する遊技機の遊技情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ遊技機の遊技情報が含まれると判断すると、当該遠隔呼出装置の表示部に遊技機の遊技情報を表示させる、請求項６乃至９の何れか１項に記載の呼出装置遠隔操作ユニット。
【発明の詳細な説明】
【技術分野】
【０００１】
本発明は、遊技者が遊技場のホールスタッフを呼ぶための遊技場用呼出システム及び呼出装置遠隔操作ユニットに関する。
【背景技術】
【０００２】
従来から、パチンコやスロットマシン等の遊技機を設置した遊技場には、遊技者がホールスタッフを呼ぶための呼出システムが設置されている（例えば、特許文献１参照）。
【０００３】
呼出システムは、遊技者が操作する呼出スイッチ及び該呼出スイッチが操作されたことを表示する表示部を含む呼出装置を備える。呼出装置は、遊技機の上方位置に配置される。かかる配置により、遊技者が遊技中であっても呼出装置の呼出スイッチを操作することができ、ホールスタッフが呼出装置の表示部の表示によって遊技者による呼出スイッチの操作の有無（遊技者が呼んでいるか否か）について把握できる。
【０００４】
ところで、近年では、外装が遊技者側（前方）に大きく張り出した遊技機や、遊技の状態に応じて装飾体が外側（例えば、上方や前方）に向けて移動する遊技機等が提供されつつある。
【０００５】
これらの遊技機は、これまでの遊技機と比較すると非常に大型化している。そのため、この種の遊技機が遊技場に設置された場合、遊技機（特に、外装や装飾体）が呼出装置の呼出スイッチの操作を阻害することがある。
【０００６】
このような状況を考慮し、遊技者が呼出スイッチの操作を行える場所に呼出装置を設置することも考えられる。しかし、呼出装置（特に表示部）も大型化してきており、遊技機の周囲のスペースや構造等との関係で、呼出装置を遊技機の上方位置以外の場所に配置することが困難な場合がある。
【先行技術文献】
【特許文献】
【０００７】
【特許文献１】特開２０１４−２０９９８６号公報
【発明の概要】
【発明が解決しようとする課題】
【０００８】
そこで、本発明は、遊技機が大型化しても、遊技者の円滑な操作性を確保することのできる遊技場用呼出システム及び呼出装置遠隔操作ユニットを提供する。
【課題を解決するための手段】
【０００９】
本発明に係る遊技場用呼出システムは、遊技機の上方位置に配置される主呼出装置であって、呼出し状態である旨を表示可能な表示部を含む主呼出装置と、呼出スイッチを含む遠隔呼出装置とを備え、主呼出装置及び遠隔呼出装置のそれぞれは、無線通信用の送受信部を含み、主呼出装置は、当該主呼出装置自身の固有識別情報を記憶した記憶部と、制御部とを含み、遠隔呼出装置は、当該遠隔呼出装置自身の固有識別情報を記憶した記憶部と、呼出スイッチが操作されたときに、該記憶部に記憶された当該遠隔呼出装置自身の固有識別情報とともに呼出スイッチが操作された旨の情報を送受信部から送信させる制御部とを含み、主呼出装置の制御部は、当該主呼出装置の送受信部で受信した情報に、主呼出装置の記憶部に記憶された固有識別情報と関連付けられた固有識別情報が含まれ、且つ呼出スイッチが操作された旨の情報が含まれると判断すると、主呼出装置の表示部に呼出し状態である旨を表示させることを特徴とする。
【００１０】
本発明の一態様として、主呼出装置は、呼出スイッチを含み、遠隔呼出装置は、呼出し状態である旨を表示する表示部を含み、主呼出装置の制御部は、主呼出装置の呼出スイッチが操作されたときに、主呼出装置の表示部に呼出し状態である旨を表示させるとともに、主呼出装置の記憶部に記憶された当該主呼出装置自身の固有識別情報及び呼出スイッチが操作された旨の情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ呼出スイッチが操作された旨の情報が含まれると判断すると、遠隔呼出装置の表示部に呼出し状態である旨を表示させる、ようにしてもよい。
【００１１】
本発明の他態様として、ホールスタッフが保有するリモートコントローラを更に備え、リモートコントローラは、解除スイッチと、当該リモートコントローラ自身の固有識別情報を記憶した記憶部と、情報を無線送信可能な送信部と、解除スイッチが操作されたときに、リモートコントローラの記憶部に記憶された当該リモートコントローラ自身の固有識別情報とともに解除スイッチが操作された旨の情報を送信部から送信させる制御部とを含み、主呼出装置の記憶部及び遠隔呼出装置の記憶部は、リモートコントローラの記憶部に記憶された固有識別情報と関連付けられた共通の解除用識別情報を記憶し、主呼出装置の送受信部が情報を受信した場合、主呼出装置の制御部は、当該主呼出装置の送受信部で受信した情報に、主呼出装置の記憶部に記憶された解除用識別情報と関連付けられた固有識別情報が含まれ、且つ解除スイッチが操作された旨の情報が含まれると判断すると、主呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ解除スイッチが操作された旨の情報が含まれると判断すると、遠隔呼出装置の記憶部に記憶された当該遠隔呼出装置自身の固有識別情報及び解除スイッチが操作された旨の情報を送受信部から送信させ、主呼出装置の制御部は、当該主呼出装置の送受信部で受信した情報に、主呼出装置の記憶部に記憶された固有識別情報と関連付けられた固有識別情報が含まれ、且つ解除スイッチが操作された旨の情報が含まれると判断すると、主呼出装置の表示部における呼出し状態の表示を解除させる、ようにしてもよい。
【００１２】
この場合、遠隔呼出装置は、呼出し状態である旨を表示する表示部を含み、主呼出装置の送受信部が情報を受信した場合、主呼出装置の制御部は、当該主呼出装置の送受信部で受信した情報に、主呼出装置の記憶部に記憶された解除用識別情報と関連付けられた固有識別情報が含まれ、且つ解除スイッチが操作された旨の情報が含まれると判断すると、主呼出装置の記憶部に記憶された当該主呼出装置自身の固有識別情報及び解除スイッチが操作された旨の情報を送受信部から送信させ、遠隔呼出装置の制御部は、遠隔呼出装置の送受信部で受信した情報に、遠隔呼出装置の記憶部に記憶された固有識別情報と関連付けられた固有識別情報が含まれ、且つ解除スイッチが操作された旨の情報が含まれると判断すると、遠隔呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ解除スイッチが操作された旨の情報が含まれると判断すると、遠隔呼出装置の表示部における呼出し状態の表示を解除させる、ようにしてもよい。
【００１３】
本発明の別の態様として、主呼出装置の制御部は、対応する遊技機と情報通信可能であり、遠隔呼出装置は、呼出し状態である旨を表示する表示部であって、対応する遊技機の遊技情報を表示可能な表示部と、主呼出装置に対して遊技機の遊技情報を要求するためのデータスイッチとを含み、遠隔呼出装置の制御部は、データスイッチが操作されたときに、遠隔呼出装置の記憶部に記憶された当該遠隔呼出装置自身の固有識別情報とともにデータスイッチが操作された旨の情報を送受信部から送信させ、主呼出装置の制御部は、当該主呼出装置の送受信部で受信した情報に、主呼出装置の記憶部に記憶された固有識別情報と関連付けられた固有識別情報が含まれ、且つデータスイッチが操作された旨の情報が含まれると判断すると、主呼出装置の記憶部に記憶された当該主呼出装置自身の固有識別情報とともに遊技機の遊技情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ遊技機の遊技情報が含まれると判断すると、遠隔呼出装置の表示部に遊技機の遊技情報を表示させる、ようにしてもよい。
【００１４】
本発明に係る呼出装置遠隔操作ユニットは、呼出し状態である旨を表示可能な表示部を有し且つ遊技機の上方位置に配置される呼出装置に設けられた通信ポートに対して情報通信可能に有線接続される通信モジュールと、呼出スイッチを含む遠隔呼出装置とを備え、通信モジュール及び遠隔呼出装置のそれぞれは、無線通信用の送受信部を含み、通信モジュールは、当該通信モジュール自身の固有識別情報を記憶した記憶部と、制御部とを含み、遠隔呼出装置は、当該遠隔呼出装置自身の固有識別情報を記憶した記憶部と、呼出スイッチが操作されたときに、記憶部に記憶された当該遠隔呼出装置自身の固有識別情報とともに呼出スイッチが操作された旨の情報を送受信部から送信させる制御部とを含み、通信モジュールの制御部は、当該通信モジュールの送受信部で受信した情報に、通信モジュールの記憶部に記憶された固有識別情報と関連付けられた固有識別情報が含まれ、且つ呼出スイッチが操作された旨の情報が含まれると判断すると、呼出装置と通信し、呼出装置に対して表示部に呼出し状態である旨を表示するよう指示することを特徴とする。
【００１５】
本発明の一態様として、呼出装置は、当該呼出装置の表示部に呼出し状態である旨を表示させる呼出スイッチを含み、遠隔呼出装置は、呼出し状態である旨を表示する表示部を含み、通信モジュールの制御部は、呼出装置の呼出スイッチが操作された旨の情報を呼出装置から受けたときに、通信モジュールの記憶部に記憶された当該通信モジュール自身の固有識別情報及び呼出スイッチが操作された旨の情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ呼出スイッチが操作された旨の情報が含まれると判断すると、当該遠隔呼出装置の表示部に呼出し状態である旨を表示させる、ようにしてもよい。
【００１６】
本発明の他態様として、通信モジュールの記憶部及び遠隔呼出装置の記憶部は、ホールスタッフが保有するリモートコントローラに設定された当該リモートコントローラ自身の固有識別情報と関連付けられた共通の解除用識別情報を記憶し、通信モジュールの送受信部が情報を受信した場合、通信モジュールの制御部は、当該通信モジュールの送受信部で受信した情報に、通信モジュールの記憶部に記憶された解除用識別情報と関連付けられた固有識別情報が含まれ、且つ呼出し状態を解除する旨の情報が含まれると判断すると、呼出装置と通信し、呼出装置に対して表示部における呼出し状態の表示を解除する旨を指示し、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ呼出し状態を解除する旨の情報が含まれると判断すると、遠隔呼出装置の記憶部に記憶された当該遠隔呼出装置自身の固有識別情報及び呼出し状態を解除する旨の情報を送受信部から送信させ、通信モジュールの制御部は、当該通信モジュールの送受信部で受信した情報に、通信モジュールの記憶部に記憶された固有識別情報と関連付けられた固有識別情報が含まれ、且つ呼出し状態を解除する旨の情報が含まれると判断すると、呼出装置と通信し、呼出装置に対して表示部における呼出し状態の表示を解除する旨を指示する、ようにしてもよい。
【００１７】
この場合、遠隔呼出装置は、呼出し状態である旨を表示する表示部を含み、通信モジュールの送受信部が情報を受信した場合、通信モジュールの制御部は、当該通信モジュールの送受信部で受信した情報に、通信モジュールの記憶部に記憶された解除用識別情報と関連付けられた固有識別情報が含まれ、且つ呼出し状態を解除する旨の情報が含まれると判断すると、通信モジュールの記憶部に記憶された当該通信モジュール自身の固有識別情報及び呼出し状態を解除する旨の情報を送受信部から送信させ、遠隔呼出装置の制御部は、遠隔呼出装置の送受信部で受信した情報に、遠隔呼出装置の記憶部に記憶された固有識別情報と関連付けられた固有識別情報が含まれ、且つ呼出し状態を解除する旨の情報が含まれると判断すると、当該遠隔呼出装置の表示部における呼出し状態の表示を解除させ、遠隔呼出装置の送受信部が情報を受信した場合、遠隔呼出装置の制御部は、遠隔呼出装置の送受信部で受信した情報に、遠隔呼出装置の記憶部に記憶された解除用識別情報と関連付けられた固有識別情報が含まれ、且つ呼出し状態を解除する旨の情報が含まれると判断すると、当該遠隔呼出装置の表示部における呼出し状態の表示を解除させる、ようにしてもよい。
【００１８】
本発明の別の態様として、呼出装置は、対応する遊技機と情報通信可能であり、遠隔呼出装置は、呼出し状態である旨を表示する表示部であって、対応する遊技機の遊技情報を表示可能な表示部と、通信モジュールに対して遊技機の遊技情報を要求するためのデータスイッチとを含み、遠隔呼出装置の制御部は、データスイッチが操作されたときに、遠隔呼出装置の記憶部に記憶された当該遠隔呼出装置自身の固有識別情報とともにデータスイッチが操作された旨の情報を送受信部から送信させ、通信モジュールの制御部は、当該通信モジュールの送受信部で受信した情報に、通信モジュールの記憶部に記憶された固有識別情報と関連付けられた固有識別情報が含まれ、且つデータスイッチが操作された旨の情報が含まれると判断すると、通信モジュールの記憶部に記憶された当該通信モジュール自身の固有識別情報とともに呼出装置の保有する遊技機の遊技情報を送受信部から送信させ、遠隔呼出装置の制御部は、当該遠隔呼出装置の送受信部で受信した情報に、遠隔呼出装置の記憶部に記憶された固有識別情報と関連付けられた固有識別情報が含まれ、且つ遊技機の遊技情報が含まれると判断すると、当該遠隔呼出装置の表示部に遊技機の遊技情報を表示させる、ようにしてもよい。
【発明の効果】
【００１９】
本発明は、遊技機が大型化しても、遊技者の円滑な操作性を確保することができるという優れた効果を奏し得る。
【図面の簡単な説明】
【００２０】
【図１】図１は、本発明の第一実施形態に係る遊技場用呼出システムを設置した遊技場の概略部分正面図である。
【図２】図２は、第一実施形態に係る遊技場用呼出システムを設置した遊技場の概略側面図である。
【図３】図３は、第一実施形態に係る遊技場用呼出システムのブロック構成図である。
【図４】図４は、第一実施形態に係る遊技場用呼出システムの各記憶部に記憶される情報の概念図である。
【図５】図５は、本発明の第二実施形態に係る呼出装置遠隔操作ユニットを設置した遊技場の概略部分正面図である。
【図６】図６は、第二実施形態に係る呼出装置遠隔操作ユニットを設置した遊技場の概略側面図である。
【図７】図７は、第二実施形態に係る呼出装置遠隔操作ユニットのブロック構成図である。
【図８】図８は、第二実施形態に係る呼出装置遠隔操作ユニットの各記憶部に記憶される情報の概念図である。
【発明を実施するための形態】
【００２１】
以下、本発明の第一実施形態について、添付図面を参照して説明する。
【００２２】
図１及び図２に示す如く、遊技場用呼出システムＳは、遊技場Ｈ内の遊技機Ｐの上方位置に配置される主呼出装置１であって、呼出し状態である旨を表示可能な表示部１０を含む主呼出装置１と、呼出スイッチ２０を含む遠隔呼出装置２とを備える。本実施形態において、遊技場用呼出システムＳは、ホールスタッフが保有するリモートコントローラ３を更に備える。
【００２３】
主呼出装置１及び遠隔呼出装置２は、一対一の関係にある。すなわち、一つの主呼出装置１と一つの遠隔呼出装置２とが一組とされる。これに伴い、一般的な遊技場Ｈ（複数台の遊技機Ｐが設置された遊技場Ｈ）を対象とする場合、遊技機Ｐ毎に主呼出装置１及び遠隔呼出装置２が一つずつ設置される。
【００２４】
主呼出装置１は、無線通信用の送受信部１１を含む。より具体的には、主呼出装置１は、図３に示す如く、送受信部１１と、当該主呼出装置１自身の固有識別情報を記憶した記憶部１２と、制御部１３とを含む。本実施形態において、主呼出装置１は、ホールスタッフを呼ぶための呼出スイッチ１４を含む。また、主呼出装置１は、表示部１０に対して遊技機Ｐの遊技情報を表示させることを要求するためのデータスイッチ１５を含む。さらに、主呼出装置１は、演出や案内を行うための音声出力部１６を含む。
【００２５】
主呼出装置１の表示部１０は、呼出し状態であることを点灯表示するＬＥＤ表示器１０ａ（図１及び図２参照）を含む。本実施形態の主呼出装置１において、表示部１０は、対応する遊技機Ｐの遊技情報（現状のモードや大当たり回数等）を表示可能である。これに伴い、表示部１０は、ＬＥＤ表示器１０ａに加え、遊技情報を表示するディスプレイ表示器１０ｂを含む（図１及び図２参照）。ディスプレイ表示器１０ｂには、液晶ディスプレイや、有機ＥＬディスプレイ、セグメント式ディスプレイ等を採用し得る。本実施形態において、ディスプレイ表示器１０ｂには、タッチパネル化された液晶ディスプレイが採用されている。
【００２６】
主呼出装置１において、送受信部１１は、赤外線通信によって情報の送受信を行う。すなわち、送受信部１１で送受信される情報は、ビット情報である。このように、送受信部１１に指向性の強い赤外線通信方式が採用されるため、送受信部１１の配置の自由度を高めるべく、主呼出装置１の送受信部１１は、制御部１３に対して有線接続されている。すなわち、主呼出装置１の送受信部１１は、遊技機Ｐの装飾体Ｐ２等を躱した位置に配置可能である（図１及び図２参照）。
【００２７】
主呼出装置１において、記憶部１２は、当該主呼出装置１自身の固有識別情報の他、該主呼出装置１自身の固有識別情報と関連付けられた遠隔呼出装置２の固有識別情報を記憶する。本実施形態において、主呼出装置１の記憶部１２は、リモートコントローラ３に対して付与される固有識別情報と関連付けられた共通の解除用識別情報をさらに記憶する。
【００２８】
主呼出装置１及び遠隔呼出装置２は、一対一の関係にあるため、主呼出装置１の記憶部１２に記憶された当該主呼出装置１自身の固有識別情報と該主呼出装置１の固有識別情報と関連付けられた遠隔呼出装置２の固有識別情報とも一対一の関係にある。本実施形態において、主呼出装置１自身の固有識別情報と、これに関連付けられた遠隔呼出装置２の固有識別情報とは、同一の内容とされる。
【００２９】
これに対し、リモートコントローラ３に対して付与される固有識別情報と主呼出装置１の記憶部１２に記憶された解除用識別情報とは一対多、或いは多対多の関係にある。すなわち、複数の遊技機Ｐのそれぞれに対応して設置される主呼出装置１の記憶部１２に記憶される解除用識別情報は、共通であり、単一のリモートコントローラ３に付与される固有識別情報、或いは複数のリモートコントローラ３に付与される共通の固有識別情報と対応関係にある。
【００３０】
本実施形態において、主呼出装置１の記憶部１２は、送受信部１１から送信する情報或いは受信した情報との比較の対象となる情報をビット情報として記憶する。主呼出装置１の記憶部１２は、例えば、図４（ａ）に示す如く、複数ビット（複数バイト）を所定ビット（或いは所定バイト）毎に区切り、区切られた所定ビット（例えば、８ビットや１６ビット）毎に情報の意味を待たせて記憶している。本実施形態においては、主呼出装置１の記憶部１２には、主呼出装置１の機器情報等を意味する固定コードを割り当てた単位ビットＣａ１、主呼出装置１の表示部１０に表示させる情報等を意味するデータコードを割り当てた単位ビットＣａ２、当該主呼出装置１及び対応関係にある遠隔呼出装置２の固有識別情報を意味する第一通信ＩＤコードを割り当てた単位ビットＣａ３、解除用識別情報を意味する第二通信ＩＤコードを割り当てた単位ビットＣａ４が記憶されている。
【００３１】
図３に戻り、主呼出装置１の制御部１３は、ＣＰＵである。本実施形態において、主呼出装置１の制御部１３は、遊技機Ｐ或いはホールコンピュータ（図示しない）に対して通信可能に直接的又は間接的に接続され、対応する遊技機Ｐの遊技情報を取得する。本実施形態において、主呼出装置１の制御部１３には、表示部１０、送受信部１１、記憶部１２、呼出スイッチ１４、データスイッチ１５、及び音声出力部１６が電気的に接続されている。これにより、主呼出装置１において、制御部１３は、記憶部１２、呼出スイッチ１４、及びデータスイッチ１５から情報を受け、表示部１０、送受信部１１、及び音声出力部１６に対して作動するように指示する。
【００３２】
主呼出装置１において、呼出スイッチ１４及びデータスイッチ１５のそれぞれは、機械式のスイッチであり、操作された旨の情報を制御部１３に入力するようになっている。主呼出装置１において、制御部１３は、呼出スイッチ１４に対する押し操作が行われる度に、表示部１０（ＬＥＤ表示器１０ａ）の表示状態を呼出し状態と呼出し解除状態とに切り替える。主呼出装置１において、制御部１３は、データスイッチ１５に対する押し操作が行われる度に、表示部１０の表示内容を切り替える。
【００３３】
主呼出装置１において、音声出力部１６は、制御部１３の指示に基づき、呼出スイッチ１４及びデータスイッチ１５等の操作音や、演出用の効果音を発する。なお、主呼出装置１において、音声出力部１６が音声を出力するのに併せ、表示部１０が主呼出装置１の制御部１３の指示に基づき演出用の映像（静止画或いは動画）を表示する。
【００３４】
遠隔呼出装置２は、主呼出装置１よりも小型の装置である。すなわち、遠隔呼出装置２は、隣り合う遊技機Ｐ，Ｐ間に設置可能なサイズに設定される（図１参照）。遠隔呼出装置２は、呼出スイッチ２０の他、無線通信用の送受信部２１を含む。本実施形態において、遠隔呼出装置２は、当該遠隔呼出装置２自身の固有識別情報を記憶した記憶部２２と、呼出スイッチ２０が操作されたときに、記憶部２２に記憶された当該遠隔呼出装置２自身の固有識別情報とともに呼出スイッチ２０が操作された旨の情報を送受信部２１から送信させる制御部２３とを含む。本実施形態において、遠隔呼出装置２は、呼出し状態である旨を表示する表示部２４を含む。また、遠隔呼出装置２は、主呼出装置１に対して遊技機Ｐの遊技情報を要求するためのデータスイッチ２５を含む。
【００３５】
遠隔呼出装置２において、呼出スイッチ２０及びデータスイッチ２５のそれぞれは、機械式のスイッチであり、操作された旨の情報（信号）を制御部２３に入力する。
【００３６】
遠隔呼出装置２の送受信部２１の送受信方式は、主呼出装置１の送受信部１１の送受信方式に合わせて設定される。本実施形態において、主呼出装置１の送受信部１１が赤外線通信によって情報を送受信するため、遠隔呼出装置２の送受信部２１は、赤外線通信によって情報を送受信する。
【００３７】
このように、遠隔呼出装置２の送受信部２１が赤外線通信するに伴い、遠隔呼出装置２は、送受信部２１を主呼出装置１の送受信部１１と対向させるように配置される。例えば、主呼出装置１の送受信部１１が遊技機Ｐを躱して隣り合う遊技機Ｐ，Ｐ間の上方に配置される場合、遠隔呼出装置２は、自己の送受信部２１を主呼出装置１の送受信部１１と対向させるように、隣り合う遊技機Ｐ，Ｐ間における遊技中の遊技者の手の届く場所に配置される（図１参照）。
【００３８】
遠隔呼出装置２の記憶部２２は、送受信部２１から送信する情報或いは受信した情報との比較の対象となる情報をビット情報として記憶する。遠隔呼出装置２の記憶部２２は、例えば、図４（ｂ）に示す如く、複数ビット（複数バイト）を所定ビット（或いは所定バイト）毎に区切って記憶し、区切られた所定ビット（例えば、８ビットや１６ビット）毎に情報の意味を待たせて記憶する。本実施形態においては、遠隔呼出装置２の記憶部２２には、遠隔呼出装置２の機器情報等を意味する固定コードを割り当てた単位ビットＣｂ１、遠隔呼出装置２の表示部２４に表示させる情報等を意味するデータコードを割り当てた単位ビットＣｂ２、当該遠隔呼出装置２及び該遠隔呼出装置２と対応関係にある主呼出装置１の固有識別情報を意味する第一通信ＩＤコードを割り当てた単位ビットＣｂ３、解除用識別情報を意味する第二通信ＩＤコードを割り当てた単位ビットＣｂ４が記憶される。
【００３９】
図３に戻り、遠隔呼出装置２の制御部２３は、ＣＰＵである。遠隔呼出装置２の制御部２３には、送受信部２１、記憶部２２、表示部２４、呼出スイッチ２０、及びデータスイッチ２５が電気的に接続される。これにより、遠隔呼出装置２において、制御部２３は、呼出スイッチ２０、記憶部２２、及びデータスイッチ２５から情報を受け、送受信部２１、及び表示部２４（後述するＬＥＤ表示器２４ａ、後述するディスプレイ表示器２４ｂ）に対して必要な動作を指示する。
【００４０】
遠隔呼出装置２において、制御部２３は、呼出スイッチ２０に対する押し操作が行われる度に、表示部２４（ＬＥＤ表示器２４ａ）の表示状態を呼出し状態と呼出し解除状態とに切り替える。遠隔呼出装置２において、制御部２３は、データスイッチ２５に対する押し操作が行われる度に、表示部２４（ディスプレイ表示器２４ｂ）の表示内容を切り替える。
【００４１】
遠隔呼出装置２の表示部２４は、例えば、呼出し状態であることを点灯表示するＬＥＤ表示器２４ａを含む。本実施形態において、表示部２４は、対応する遊技機Ｐの遊技情報を表示可能である。すなわち、表示部２４は、呼出し状態である旨を表示するＬＥＤ表示器２４ａの他、遊技機Ｐの遊技情報を表示するディスプレイ表示器２４ｂを含む。ディスプレイ表示器２４ｂは、液晶ディスプレイやセグメント式ディスプレイ等、表示態様に応じて選択され得る。
【００４２】
リモートコントローラ３は、解除スイッチ３０と、当該リモートコントローラ３自身の固有識別情報を記憶した記憶部３１と、情報を無線送信可能な送信部３２と、解除スイッチ３０が操作されたときに、リモートコントローラ３の記憶部３１に記憶された当該リモートコントローラ３自身の固有識別情報とともに解除スイッチ３０が操作された旨の情報を送信部３２から送信させる制御部３３とを含む。
【００４３】
リモートコントローラ３において、解除スイッチ３０、記憶部３１、送信部３２、制御部３３は、単一の基板上に搭載される。
【００４４】
リモートコントローラ３の記憶部３１は、送信部３２から送信する情報をビット情報として記憶する。リモートコントローラ３の記憶部３１は、例えば、図４（ｃ）に示す如く、複数ビット（複数バイト）を所定ビット（或いは所定バイト）毎に区切り、区切られた所定ビット（例えば、８ビットや１６ビット）毎に情報の意味を待たせて記憶する。本実施形態においては、リモートコントローラ３の記憶部３１には、少なくとも、当該リモートコントローラ３の機器情報等を意味する固定コードを割り当てた単位ビットＣｃ１、当該リモートコントローラ３に付与された解除用識別情報を意味する解除ＩＤコードを割り当てた単位ビットＣｃ４が記憶される。
【００４５】
リモートコントローラ３の送信部３２の送信方式は、主呼出装置１の送受信部１１及び遠隔呼出装置２の送受信部２１の送受信方式に合わせて設定される。本実施形態において、主呼出装置１及び遠隔呼出装置２のそれぞれの送受信部が赤外線通信を行うため、リモートコントローラ３の送信部３２は、赤外線通信によって情報の送信を行う。すなわち、リモートコントローラ３の送信部３２は、リモートコントローラ３の記憶部３１に記憶したビット情報を送信する。
【００４６】
本実施形態の遊技場用呼出システムＳは、以上の通りであり、遊技中の遊技者がホールスタッフを呼ぶ場合、主呼出装置１の呼出スイッチ１４又は遠隔呼出装置２の呼出スイッチ２０を操作する。
【００４７】
図１及び図２に示す如く、主呼出装置１は、遊技機Ｐの上方位置に配置されるため、遊技機Ｐの外装Ｐ１が遊技者側に張り出していたり、遊技機Ｐの装飾体Ｐ２が移動したりすると、主呼出装置１の呼出スイッチ１４に対する操作がし難くなる。
【００４８】
これに伴い、遊技中の遊技者が手の届く位置にある遠隔呼出装置２の呼出スイッチ２０を操作すると、遠隔呼出装置２において、制御部２３は、呼出スイッチ２０の操作に基づき、記憶部２２に記憶された情報（ビット情報）を送受信部２１から送信させる。また、本実施形態の遠隔呼出装置２は、表示部２４を含むため、遠隔呼出装置２の制御部２３は、呼出スイッチ２０の操作に基づき、表示部２４に呼出し状態である旨を表示させる。
【００４９】
そして、主呼出装置１の送受信部１１は、常時受信を許可しているため、遠隔呼出装置２の送受信部２１からの情報を受信する。そうすると、主呼出装置１において、制御部１３は、送受信部１１で受信した情報に、記憶部１２に記憶された固有識別情報と関連付けられた固有識別情報が含まれ、且つ呼出スイッチ２０が操作された旨の情報が含まれるか否かを判断する。
【００５０】
すなわち、主呼出装置１の制御部１３は、受信した情報が、遊技機Ｐに対応して設置された主呼出装置１以外の主呼出装置１（例えば、両隣にある遊技機Ｐや背面側にある遊技機Ｐ等に対応して設置された主呼出装置１）の送受信部１１や、遊技機Ｐに対応して設置された遠隔呼出装置２以外の遠隔呼出装置２（例えば、両隣にある遊技機Ｐや背面側にある遊技機Ｐ等に対応して設置された遠隔呼出装置２）の送受信部２１から送信された情報であるか否かを判断する。
【００５１】
そして、主呼出装置１において、制御部１３は、受信した情報に、記憶部１２に記憶された固有識別情報と関連付けられた固有識別情報が含まれ、且つ呼出スイッチ２０が操作された旨の情報が含まれると判断すると、表示部１０に呼出し状態である旨を表示させる。すなわち、主呼出装置１において、制御部１３は、当該主呼出装置１と対応関係にある遠隔呼出装置２の送受信部２１からの情報であると判断すると、表示部１０に呼出し状態である旨を表示させる。
【００５２】
これに対し、遊技者が主呼出装置１の呼出スイッチ１４を操作した場合、主呼出装置１において、制御部１３は、主呼出装置１の表示部１０に呼出し状態である旨を表示させるとともに、記憶部１２に記憶された当該主呼出装置１自身の固有識別情報及び呼出スイッチ１４が操作された旨の情報を送受信部１１から送信させる。
【００５３】
遠隔呼出装置２の送受信部２１においても、常時受信を許可しているため、主呼出装置１の送受信部１１からの情報を受信する。そうすると、遠隔呼出装置２において、制御部２３は、当該遠隔呼出装置２の送受信部２１で受信した情報に、記憶部２２に記憶された固有識別情報と関連付けられた固有識別情報が含まれ、且つ呼出スイッチ１４が操作された旨の情報が含まれるか否かを判断する。
【００５４】
すなわち、遠隔呼出装置２の制御部２３は、受信した情報が遊技機Ｐに対応して設置された主呼出装置１以外の主呼出装置１（例えば、両隣にある遊技機Ｐや背面側にある遊技機Ｐ等に対応して設置された主呼出装置１）の送受信部１１や、遊技機Ｐに対応して設置された遠隔呼出装置２以外の遠隔呼出装置２（例えば、両隣にある遊技機Ｐや背面側にある遊技機Ｐ等に対応して設置された遠隔呼出装置２）の送受信部２１から送信された情報であるか否かを判断する。
【００５５】
遠隔呼出装置２において、制御部２３は、受信した情報に、記憶部２２に記憶された固有識別情報と関連付けられた固有識別情報が含まれ、且つ呼出スイッチ１４が操作された旨の情報が含まれると判断すると、表示部２４に呼出し状態である旨を表示させる。すなわち、遠隔呼出装置２の制御部２３は、当該遠隔呼出装置２と対応関係にある主呼出装置１の送受信部１１からの情報であると判断すると、遠隔呼出装置２の表示部２４に呼出し状態である旨を表示させる。
【００５６】
従って、本実施形態の呼出システムＳは、主呼出装置１及び遠隔呼出装置２の何れの呼出スイッチ１４，２０が操作されても、主呼出装置１の表示部１０及び遠隔呼出装置２の表示部２４が呼出し状態である旨を表示する。これにより、ホールスタッフが主呼出装置１の表示部１０又は遠隔呼出装置２の表示部２４の何れか一方の表示が確認できない位置で待機していたとしても、ホールスタッフが主呼出装置１の表示部１０又は遠隔呼出装置２の表示部２４の何れか他方の表示を確認することができ、迅速な呼出しが可能となる。
【００５７】
そして、ホールスタッフは、呼出しを要望する遊技者の元に到着すると、主呼出装置１の表示部１０又は遠隔呼出装置２の表示部２４における呼出し状態である旨をリモートコントローラ３で解除する。
【００５８】
すなわち、ホールスタッフがリモートコントローラ３の解除スイッチ３０を操作する。そうすると、リモートコントローラ３において、制御部３３は、記憶部３１に記憶された固有識別情報とともに解除スイッチ３０が操作された旨の情報を送信部３２から送信させる。このとき、ホールスタッフは、立ち位置によって、主呼出装置１の送受信部１１又は遠隔呼出装置２の送受信部２１の何れをリモートコントローラ３から情報を送信する対象として選択する。
【００５９】
そして、主呼出装置１の送受信部１１がリモートコントローラ３から情報を受信した場合、主呼出装置１において、制御部１３は、送受信部１１で受信した情報に、記憶部１２に記憶された解除用識別情報と関連付けられた固有識別情報が含まれ、且つ解除スイッチ３０が操作された旨の情報が含まれると判断すると、表示部１０における呼出し状態の表示を解除させる。本実施形態では、主呼出装置１において、制御部１３は、表示部１０における呼出し状態の表示を解除させるのに併せ、記憶部１２に記憶された当該主呼出装置１自身の固有識別情報及び解除スイッチ３０が操作された旨の情報を送受信部１１から送信させる。
【００６０】
そして、遠隔呼出装置２の送受信部２１が主呼出装置１から情報を受信すると、遠隔呼出装置２において、制御部２３は、送受信部２１で受信した情報に、記憶部２２に記憶された固有識別情報と関連付けられた固有識別情報が含まれ、且つ解除スイッチ３０が操作された旨の情報が含まれると判断すると、表示部２４における呼出し状態の表示を解除させる。
【００６１】
これに対し、遠隔呼出装置２の送受信部２１がリモートコントローラ３から情報を受信した場合、遠隔呼出装置２において、制御部２３は、送受信部２１で受信した情報に、記憶部２２に記憶された解除用識別情報と関連付けられた固有識別情報が含まれ、且つ解除スイッチ３０が操作された旨の情報が含まれると判断すると、遠隔呼出装置２の表示部２４における呼出し状態の表示を解除させる。本実施形態では、遠隔呼出装置２において、制御部２３は、表示部２４における呼出し状態の表示を解除させるのに併せ、記憶部２２に記憶された当該遠隔呼出装置２自身の固有識別情報及び解除スイッチ３０が操作された旨の情報を送受信部から送信させる。
【００６２】
そして、主呼出装置１の送受信部１１が遠隔呼出装置２から情報を受信すると、主呼出装置１において、制御部１３は、送受信部１１で受信した情報に、記憶部１２に記憶された固有識別情報と関連付けられた固有識別情報が含まれ、且つ解除スイッチ３０が操作された旨の情報が含まれると判断すると、表示部１０における呼出し状態の表示を解除させる。
【００６３】
このように、本実施形態の呼出システムＳは、ホールスタッフのリモートコントローラ３によって呼出し状態が解除された際にも、主呼出装置１の表示部１０及び遠隔呼出装置２の表示部２４のそれぞれの呼出し状態を適切に解除できる。
【００６４】
そして、遊技者が遠隔呼出装置２のデータスイッチ２５を操作した場合、遠隔呼出装置２において、制御部２３は、記憶部２２に記憶された当該遠隔呼出装置２自身の固有識別情報とともにデータスイッチ２５が操作された旨の情報を送受信部２１から送信させる。そして、主呼出装置１の送受信部１１が情報を受信すると、主呼出装置１において、制御部１３は、送受信部１１で受信した情報に、記憶部１２に記憶された固有識別情報と関連付けられた固有識別情報が含まれ、且つデータスイッチ２５が操作された旨の情報が含まれると判断すると、記憶部１２に記憶された当該主呼出装置１自身の固有識別情報とともに遊技機Ｐの遊技情報を送受信部１１から送信させる。
【００６５】
そして、遠隔呼出装置２の送受信部２１が情報を受信すると、遠隔呼出装置２において、制御部２３は、送受信部２１で受信した情報に、記憶部２２に記憶された固有識別情報と関連付けられた固有識別情報が含まれ、且つ遊技機Ｐの遊技情報が含まれると判断すると、表示部２４に遊技機Ｐの遊技情報を表示させる。
【００６６】
以上のように、本実施形態に係る遊技場用呼出システムＳは、遊技機Ｐの上方位置に配置される主呼出装置１であって、呼出し状態である旨を表示可能な表示部１０を含む主呼出装置１と、呼出スイッチ２０を含む遠隔呼出装置２とを備え、主呼出装置１及び遠隔呼出装置２のそれぞれは、無線通信用の送受信部１１，２１を含み、主呼出装置１は、当該主呼出装置１自身の固有識別情報を記憶した記憶部１２と、制御部１３とを含み、遠隔呼出装置２は、当該遠隔呼出装置２自身の固有識別情報を記憶した記憶部２２と、呼出スイッチ２０が操作されたときに、当該遠隔呼出装置２の記憶部２２に記憶された当該遠隔呼出装置２自身の固有識別情報とともに呼出スイッチ２０が操作された旨の情報を送受信部２１から送信させる制御部２３とを含み、主呼出装置１の制御部１３は、当該主呼出装置１の送受信部１１で受信した情報に、当該主呼出装置１の記憶部１２に記憶された固有識別情報と関連付けられた固有識別情報が含まれ、且つ呼出スイッチ２０が操作された旨の情報が含まれると判断すると、主呼出装置１の表示部１０に呼出し状態である旨を表示させる。
【００６７】
上記構成によれば、主呼出装置１及び遠隔呼出装置２が別個の位置に配置することができる。すなわち、主呼出装置１が従来通り遊技機Ｐの上方位置に配置された上で、遠隔呼出装置２を遊技者の操作のし易い場所に配置することができる。また、主呼出装置１及び遠隔呼出装置２のそれぞれは、無線通信用の送受信部１１，２１を含むため、遠隔呼出装置２が遊技者にとって操作のし易い場所に配置したとしても、主呼出装置１（遊技機Ｐの上方位置）から遠隔呼出装置２にまで配線を敷設する作業が不要である。さらに、主呼出装置１の制御部１３が、当該主呼出装置１の送受信部１１で受信した情報に、該主呼出装置１の記憶部１２に記憶された固有識別情報と関連付けられた固有識別情報が含まれ、且つ呼出スイッチ２０が操作された旨の情報が含まれると判断すると、主呼出装置１の表示部１０に呼出し状態である旨を表示させるため、遊技場Ｈにある複数の遊技機Ｐ…のそれぞれに対応して遠隔呼出装置２が設置されたとしても、誤動作なく対応する主呼出装置１の表示部１０によって呼出し状態である旨を表示させることができる。
【００６８】
本実施形態において、主呼出装置１は、呼出スイッチ１４を含み、遠隔呼出装置２は、呼出し状態である旨を表示する表示部２４を含み、主呼出装置１の制御部１３は、主呼出装置１の呼出スイッチ１４が操作されたときに、主呼出装置１の表示部１０に呼出し状態である旨を表示させるとともに、主呼出装置１の記憶部１２に記憶された当該主呼出装置１自身の固有識別情報及び呼出スイッチ１４が操作された旨の情報を送受信部１１から送信させ、遠隔呼出装置２の制御部２３は、当該遠隔呼出装置２の送受信部２１で受信した情報に、該遠隔呼出装置２の記憶部２２に記憶された固有識別情報と関連付けられた固有識別情報が含まれ、且つ呼出スイッチ１４が操作された旨の情報が含まれると判断すると、遠隔呼出装置２の表示部２４に呼出し状態である旨を表示させる。
【００６９】
上記構成によれば、主呼出装置１の呼出スイッチ１４が操作されたときに、主呼出装置１と異なる位置にある遠隔呼出装置２の表示部２４が呼出し状態である旨を表示するため、単一の遊技機Ｐに対して呼出し状態である旨を複数個所で表示される。これにより、ホールスタッフが呼出し状態であることをより確実に認識することができる。さらに、遠隔呼出装置２の制御部２３は、当該遠隔呼出装置２の送受信部２１で受信した情報に、遠隔呼出装置２の記憶部２２に記憶された固有識別情報と関連付けられた固有識別情報が含まれ、且つ呼出スイッチ１４が操作された旨の情報が含まれると判断すると、遠隔呼出装置２の表示部２４に呼出し状態である旨を表示させるため、遊技場Ｈにある複数の遊技機Ｐ…のそれぞれに対応して遠隔呼出装置２が設置されたとしても、誤動作なく対応する遠隔呼出装置２の表示部２４によって呼出し状態である旨を表示させることができる。
【００７０】
本実施形態において、遊技場用呼出システムＳは、ホールスタッフが保有するリモートコントローラ３を更に備え、リモートコントローラ３は、解除スイッチ３０と、当該リモートコントローラ３自身の固有識別情報を記憶した記憶部３１と、情報を無線送信可能な送信部３２と、解除スイッチ３０が操作されたときに、リモートコントローラ３の記憶部３１に記憶された当該リモートコントローラ３自身の固有識別情報とともに解除スイッチ３０が操作された旨の情報を送信部３２から送信させる制御部３３とを含み、主呼出装置１の記憶部１２及び遠隔呼出装置２の記憶部２２は、リモートコントローラ３の記憶部３１に記憶された固有識別情報と関連付けられた共通の解除用識別情報を記憶し、主呼出装置１の送受信部１１が情報を受信した場合、主呼出装置１の制御部１３は、当該主呼出装置１の送受信部１１で受信した情報に、主呼出装置１の記憶部１２に記憶された解除用識別情報と関連付けられた固有識別情報が含まれ、且つ解除スイッチ３０が操作された旨の情報が含まれると判断すると、主呼出装置１の表示部１０における呼出し状態の表示を解除させ、遠隔呼出装置２の送受信部２１が情報を受信した場合、遠隔呼出装置２の制御部２３は、遠隔呼出装置２の送受信部２１で受信した情報に、遠隔呼出装置２の記憶部２２に記憶された解除用識別情報と関連付けられた固有識別情報が含まれ、且つ解除スイッチ３０が操作された旨の情報が含まれると判断すると、遠隔呼出装置２の記憶部２２に記憶された当該遠隔呼出装置２自身の固有識別情報及び解除スイッチ３０が操作された旨の情報を送受信部２１から送信させ、主呼出装置１の制御部１３は、当該主呼出装置１の送受信部１１で受信した情報に、主呼出装置１の記憶部１２に記憶された固有識別情報と関連付けられた固有識別情報が含まれ、且つ解除スイッチ３０が操作された旨の情報が含まれると判断すると、主呼出装置１の表示部１０における呼出し状態の表示を解除させる。
【００７１】
上記構成によれば、ホールスタッフの保有する単一（共通）のリモートコントローラ３によって、遊技場Ｈにある複数の遊技機Ｐのそれぞれに対応して設置される主呼出装置１の表示部１０の呼出し状態を解除することができる。また、対応する遊技機Ｐ（遊技者）の呼出し状態を解除するに当たり、誤作動なく対応する主呼出装置１の表示部１０の呼出し状態を解除することができる。
【００７２】
本実施形態において、遠隔呼出装置２は、呼出し状態である旨を表示する表示部２４を含み、主呼出装置１の送受信部１１が情報を受信した場合、主呼出装置１の制御部１３は、当該主呼出装置１の送受信部１１で受信した情報に、主呼出装置１の記憶部１２に記憶された解除用識別情報と関連付けられた固有識別情報が含まれ、且つ解除スイッチ３０が操作された旨の情報が含まれると判断すると、主呼出装置１の記憶部１２に記憶された当該主呼出装置１自身の固有識別情報及び解除スイッチ３０が操作された旨の情報を送受信部１１から送信させ、遠隔呼出装置２の制御部２３は、遠隔呼出装置２の送受信部２１で受信した情報に、遠隔呼出装置２の記憶部２２に記憶された固有識別情報と関連付けられた固有識別情報が含まれ、且つ解除スイッチ３０が操作された旨の情報が含まれると判断すると、遠隔呼出装置２の表示部２４における呼出し状態の表示を解除させ、遠隔呼出装置２の送受信部２１が情報を受信した場合、遠隔呼出装置２の制御部２３は、遠隔呼出装置２の送受信部２１で受信した情報に、遠隔呼出装置２の記憶部２２に記憶された解除用識別情報と関連付けられた固有識別情報が含まれ、且つ解除スイッチ３０が操作された旨の情報が含まれると判断すると、遠隔呼出装置２の表示部２４における呼出し状態の表示を解除させる。
【００７３】
上記構成によれば、ホールスタッフの保有する単一（共通）のリモートコントローラ３によって、遊技場Ｈにある複数の遊技機Ｐのそれぞれに対応して設置される主呼出装置１の表示部１０及び遠隔呼出装置２の表示部２４の呼出し状態を解除することができる。また、対応する遊技機Ｐ（遊技者）の呼出し状態を解除するに当たり、誤作動なく対応する主呼出装置１の表示部１０及び遠隔呼出装置２の表示部２４の呼出し状態を解除することができる。
【００７４】
本実施形態において、主呼出装置１の制御部１３は、対応する遊技機Ｐと情報通信可能であり、遠隔呼出装置２は、呼出し状態である旨を表示する表示部２４であって、対応する遊技機Ｐの遊技情報を表示可能な表示部２４と、主呼出装置１に対して遊技機Ｐの遊技情報を要求するためのデータスイッチ２５を含み、遠隔呼出装置２の制御部２３は、データスイッチ２５が操作されたときに、遠隔呼出装置２の記憶部２２に記憶された当該遠隔呼出装置２自身の固有識別情報とともにデータスイッチ２５が操作された旨の情報を送受信部２１から送信させ、主呼出装置１の制御部１３は、当該主呼出装置１の送受信部１１で受信した情報に、主呼出装置１の記憶部１２に記憶された固有識別情報と関連付けられた固有識別情報が含まれ、且つデータスイッチ２５が操作された旨の情報が含まれると判断すると、主呼出装置１の記憶部１２に記憶された当該主呼出装置１自身の固有識別情報とともに遊技機Ｐの遊技情報を送受信部１１から送信させ、遠隔呼出装置２の制御部２３は、当該遠隔呼出装置２の送受信部２１で受信した情報に、遠隔呼出装置２の記憶部２２に記憶された固有識別情報と関連付けられた固有識別情報が含まれ、且つ遊技機Ｐの遊技情報が含まれると判断すると、遠隔呼出装置２の表示部２４に遊技機Ｐの遊技情報を表示させる。
【００７５】
上記構成によれば、主呼出装置１の表示部１０だけでなく、遊技者の手の届く位置、すなわち、遊技者の視認可能な位置にある遠隔呼出装置２の表示部２４にも遊技機Ｐの遊技情報が表示されるため、主呼出装置１の表示部１０の表示が遊技機Ｐの外装Ｐ１や装飾体Ｐ２によって視認し難い場合でも、遊技者が遠隔呼出装置２の表示部２４の表示によって遊技機Ｐの遊技情報を視認することができる。また、遊技場Ｈにある複数の遊技機Ｐのそれぞれに対応して遠隔呼出装置２が設置されたとしても、対応する遊技機Ｐの遊技情報を適切に該遠隔呼出装置２の表示部２４に表示させることができる。すなわち、遠隔呼出装置２の表示部２４が、対応しない遊技機Ｐの遊技情報を誤って表示してしまうことを防止することができる。
【００７６】
次に、本発明の第二実施形態について、添付図面を参照して説明する。
【００７７】
本実施形態に係る呼出装置遠隔操作ユニット（以下、単に遠隔操作ユニットという）は、遊技場に設置された既設の呼出装置又は遊技場に設置される既存製品である呼出装置を遠隔操作可能にする。ここで、遠隔操作ユニットの説明に先立ち、前提となる呼出装置及びホールスタッフの保有するリモートコントローラについて説明する。
【００７８】
図５及び図６に示す如く、呼出装置４は、従来通り、対応する遊技機Ｐの上方位置に配置される。
【００７９】
呼出装置４は、図７に示す如く、ホールスタッフを呼ぶための呼出スイッチ４０と、呼出スイッチ４０が操作されたときに、呼出し状態である旨を表示する表示部４１と、演出や案内を行うための音声出力部４２と、呼出スイッチ４０の操作に基づき表示部４１に呼出し状態である旨を表示させる制御部４３と、ホールスタッフの保有するリモートコントローラ５に対して付与される固有識別情報と関連付けられた共通の解除用識別情報を記憶した記憶部４４と、ホールスタッフの保有するリモートコントローラ５からの情報を受信する受信部４５とを備える。
【００８０】
さらに、呼出装置４は、表示部４１に対して遊技機Ｐの遊技情報を表示させることを要求するためのデータスイッチ４６を含む。また、呼出装置４は、外部機器と通信可能な通信ポート４７を備える。
【００８１】
呼出装置４において、呼出スイッチ４０及びデータスイッチ４６のそれぞれは、制御部４３に接続される。これらは、機械式のスイッチであり、操作されたときに、制御部４３にその旨の情報（信号）を入力する。
【００８２】
表示部４１は、図５に示す如く、例えば、呼出し状態であることを点灯表示するＬＥＤ表示器４１ａを含む。本実施形態において、表示部４１は、対応する遊技機Ｐの遊技情報を表示可能である。これに伴い、表示部４１には、呼出し状態である旨を表示するＬＥＤ表示器４１ａの他、遊技情報を表示するディスプレイ表示器４１ｂを含む。ディスプレイ表示器４１ｂには、液晶ディスプレイ、有機ＥＬディスプレイ、セグメント式ディスプレイ等が採用される。
【００８３】
図７に戻り、呼出装置４の音声出力部４２は、呼出装置４の制御部４３の指示に基づき、呼出スイッチ４０及びデータスイッチ４６等の操作音や演出用の効果音を発する。なお、音声出力部４２が音声を出力するのに併せ、呼出装置４の表示部４１は、通信モジュール６の制御部６３の指示に基づき演出用の画像を表示する。
【００８４】
呼出装置４の制御部４３は、ＣＰＵである。呼出装置４の制御部４３には、呼出スイッチ４０、表示部４１、音声出力部４２、記憶部４４、受信部４５及び通信ポート４７が接続されている。かかる制御部４３は、表示部４１が呼出し状態である旨を表示している状態において、受信部４５で受信した情報に、呼出装置４の記憶部４４に記憶された解除用識別情報が含まれ且つ呼出し状態であることを解除するための情報が含まれていると、表示部４１による呼出し状態である旨の表示を解除させる。
【００８５】
呼出装置４の記憶部４４は、通信ポート４７から送信する情報や受信部４５で受信した情報との比較の対象となる情報等をビット情報として記憶する。例えば、図８（ａ）に示す如く、複数ビット（複数バイト）を所定ビット（或いは所定バイト）毎に区切り、区切られた所定ビット（例えば、８ビットや１６ビット）毎に情報の意味を待たせて記憶している。本実施形態においては、呼出装置４の記憶部４４には、呼出装置４の機器情報等を意味する固定コードを割り当てた単位ビットＣｄ１、呼出装置４の表示部４１に表示させる情報等を意味するデータコードを割り当てた単位ビットＣｄ２、解除用識別情報を意味する第二通信ＩＤコードを割り当てた単位ビットＣｄ４が記憶されている。
【００８６】
図７に戻り、呼出装置４の受信部４５の通信方式には、赤外線通信方式が採用される。呼出装置４の通信ポート４７には、外部から情報が入力される複数の入力ポート４７ａ，４７ｂと、外部に情報を出力する複数の出力ポート４７ｃ，４７ｄとが含まれる。本実施形態において、通信ポート４７には、二つの入力ポート４７ａ，４７ｂと二つの出力ポート４７ｃ，４７ｄとが含まれる。なお、以下の説明において、一方の入力ポート４７ａを第一入力ポートといい、他方の入力ポート４７ｂを第二入力ポートという。また、一方の出力ポート４７ｃを第一出力ポートといい、他方の出力ポート４７ｄを第二出力ポートという。
【００８７】
リモートコントローラ５は、解除スイッチ５０と、当該リモートコントローラ５自身の固有識別情報を記憶した記憶部５１と、情報を無線送信可能な送信部５２と、解除スイッチ５０が操作されたときに、リモートコントローラ５の記憶部５１に記憶された当該リモートコントローラ５自身の固有識別情報とともに解除スイッチ５０が操作された旨の情報を送信部５２から送信させる制御部５３とを含む。
【００８８】
リモートコントローラ５において、解除スイッチ５０、記憶部５１、送信部５２、制御部５３は、単一の基板上に搭載される。
【００８９】
リモートコントローラ５の記憶部５１は、送信部５２から送信する情報をビット情報として記憶する。リモートコントローラ５の記憶部５１は、図８（ｂ）に示す如く、例えば、複数ビット（複数バイト）を所定ビット（或いは所定バイト）毎に区切って記憶し、区切られた所定ビット（例えば、８ビットや１５ビット）毎に情報の意味を待たせて記憶する。本実施形態においては、リモートコントローラ５の記憶部５１には、当該リモートコントローラ５の機器情報等を意味する固定コードを割り当てた単位ビットＣｅ１、当該リモートコントローラ５に付与された解除用識別情報を意味する解除ＩＤコードを割り当てた単位ビットＣｅ４が記憶される。
【００９０】
リモートコントローラ５の送信部５２の送信方式は、呼出装置４の受信部４５の受信方式に合わせて設定される。本実施形態において、呼出装置４の受信部４５の通信方式に赤外線通信方式が採用されるため、リモートコントローラ５の送信部５２の送信方式も赤外線通信方式が採用される。すなわち、リモートコントローラ５の送信部５２は、リモートコントローラ５の記憶部５１に記憶したビット情報を赤外線信号として送信する。
【００９１】
これを前提に、本実施形態に係る呼出装置遠隔操作ユニットＵは、図５及び図６に示す如く、対応する呼出装置４に設けられた通信ポート４７（図７参照）に対して情報通信可能に有線接続される通信モジュール６と、呼出スイッチ７０を含む遠隔呼出装置７とを備える。
【００９２】
通信モジュール６及び遠隔呼出装置７は、一対一の関係にある。一つの通信モジュール６と一つの遠隔呼出装置７とが一組とされる。これに伴い、一般的な遊技場Ｈ（複数台の遊技機Ｐが設置された遊技場Ｈ）を対象とする場合、呼出装置遠隔操作ユニットＵ（一つの通信モジュール６及び一つの遠隔呼出装置７）は、遊技機Ｐ（呼出装置４）毎に設置される。
【００９３】
通信モジュール６は、既設或いは既存の呼出装置４に対して無線通信機能を付加するものである。具体的に説明すると、通信モジュール６は、図７に示す如く、呼出装置４と通信可能に接続するための通信ポート６０を備える。本実施形態において、通信モジュール６の通信ポート６０には、呼出し状態である旨の情報が入力される呼出情報入力ポート６０ａと、呼出装置４の表示部４１に表示される内容或いはそれに関連する情報が入力されるデータ入力ポート６０ｂと、呼出し状態である旨の情報を出力する呼出情報出力ポート６０ｃと、呼出装置４の表示部４１に表示される内容或いはそれに関連する情報を要求するための情報が出力されるデータ出力ポート６０ｄとが含まれる。
【００９４】
通信モジュール６は、無線通信用の送受信部６１を含む。より具体的には、通信モジュール６は、送受信部６１と、当該通信モジュール６自身の固有識別情報を記憶した記憶部６２と、制御部６３とを含む。
【００９５】
通信モジュール６において、送受信部６１は、赤外線通信によって情報の送受信を行う。すなわち、送受信部６１で送受信される情報は、ビット情報である。このように、送受信部６１に指向性の強い赤外線通信方式が採用されるため、送受信部６１の配置の自由度を高めるべく、通信モジュール６の送受信部６１は、制御部６３に対して有線接続されている。すなわち、通信モジュール６の送受信部６１は、遊技機Ｐの装飾体Ｐ２等を躱した位置に配置可能である（図５及び図６参照）。
【００９６】
通信モジュール６の記憶部６２は、当該通信モジュール６自身の固有識別情報の他、該通信モジュール６自身の固有識別情報と関連付けられた遠隔呼出装置７の固有識別情報が記憶される。本実施形態において、通信モジュール６の記憶部６２は、既存のリモートコントローラ５に対して付与される固有識別情報と関連付けられた共通の解除用識別情報をさらに記憶する。
【００９７】
通信モジュール６及び遠隔呼出装置７は、一対一の関係にあるため、通信モジュール６の記憶部６２に記憶された通信モジュール６自身の固有識別情報と該通信モジュール６自身の固有識別情報と関連付けられた遠隔呼出装置７の固有識別情報とも一対一の関係にある。本実施形態において、通信モジュール６自身の固有識別情報と、これに関連付けられた遠隔呼出装置７の固有識別情報とは、同一情報とされる。
【００９８】
これに対し、既存のリモートコントローラ５に対して付与される固有識別情報と通信モジュール６の記憶部６２に記憶された解除用識別情報とは一対多、或いは多対多の関係にある。すなわち、複数の遊技機Ｐのそれぞれに対応して設置される通信モジュール６の記憶部６２に記憶される解除用識別情報は、共通であり、単一のリモートコントローラ５に付与される固有識別情報、或いは複数のリモートコントローラ５に付与される共通の固有識別情報と対応関係にある。
【００９９】
通信モジュール６の記憶部６２は、送受信部６１から送信する情報或いは受信した情報との比較の対象となる情報をビット情報として記憶する。通信モジュール６の記憶部６２は、図８（ｃ）に示す如く、例えば、複数ビット（複数バイト）を所定ビット（或いは所定バイト）毎に区切って記憶し、区切られた所定ビット（例えば、８ビットや１６ビット）毎に情報の意味を待たせて記憶している。本実施形態においては、通信モジュール６の記憶部６２には、通信モジュール６の機器情報等を意味する固定コードを割り当てた単位ビットＣｆ１、当該通信モジュール６及び対応関係にある遠隔呼出装置７の固有識別情報を意味する第一通信ＩＤコードを割り当てた単位ビットＣｆ３、解除用識別情報を意味する第二通信ＩＤコードを割り当てた単位ビットＣｆ４が記憶されている。
【０１００】
図７に戻り、通信モジュール６の制御部６３は、ＣＰＵである。本実施形態において、通信モジュール６の制御部６３は、遊技機Ｐ或いはホールコンピュータに対して通信可能に直接的又は間接的に接続され、対応する遊技機Ｐの遊技情報を取得する。本実施形態において、通信モジュール６の制御部６３には、当該通信モジュール６の通信ポート６０（呼出情報入力ポート６０ａ、データ入力ポート６０ｂ、呼出情報出力ポート６０ｃ、データ出力ポート６０ｄ）が接続されている。また、通信モジュール６の制御部６３には、送受信部６１、記憶部６２が電気的に接続されている。これにより、通信モジュール６の制御部６３は、記憶部６２や通信ポート６０を介して呼出装置４の制御部４３から情報を受け、送受信部６１や通信ポート６０に対して必要な情報を送受信させる。
【０１０１】
遠隔呼出装置７は、呼出装置４よりも小型の装置である。すなわち、遠隔呼出装置７は、隣り合う遊技機Ｐ，Ｐ間に設置可能なサイズに設定される。遠隔呼出装置７は、無線通信用の送受信部７１を含む。本実施形態において、遠隔呼出装置７は、当該遠隔呼出装置７自身の固有識別情報を記憶した記憶部７２と、呼出スイッチ７０が操作されたときに、記憶部に記憶された当該遠隔呼出装置７自身の固有識別情報とともに呼出スイッチ７０が操作された旨の情報を送受信部７１から送信させる制御部７３とを含む。本実施形態において、遠隔呼出装置７は、呼出し状態である旨を表示する表示部７４を含む。また、遠隔呼出装置７は、通信モジュール６に対して遊技機Ｐの遊技情報を要求するためのデータスイッチ７５を含む。
【０１０２】
遠隔呼出装置７において、呼出スイッチ７０及びデータスイッチ７５のそれぞれは、機械式のスイッチであり、操作された旨の情報を制御部７３に入力するようになっている。
【０１０３】
遠隔呼出装置７の送受信部７１の送受信方式は、通信モジュール６の送受信部６１の送受信方式に合わせて設定される。本実施形態において、通信モジュール６の送受信部６１が赤外線通信によって情報を送受信するため、遠隔呼出装置７の送受信部７１は、赤外線通信によって情報を送受信する。具体的には、遠隔呼出装置７の送受信部７１は、送受信する情報を赤外線信号として送受信する。
【０１０４】
このように、遠隔呼出装置７の送受信部７１が赤外線通信するに伴い、遠隔呼出装置７は、送受信部を通信モジュール６の送受信部６１と対向させるように配置される。例えば、通信モジュール６の送受信部６１が遊技機Ｐを躱して隣り合う遊技機Ｐ，Ｐ間の上方に配置される場合、遠隔呼出装置７は、自己の送受信部７１を通信モジュール６の送受信部６１と対向させるように、隣り合う遊技機Ｐ，Ｐ間における遊技中の遊技者の手の届く場所に配置される（図５参照）。
【０１０５】
遠隔呼出装置７の記憶部７２は、送受信部７１から送信する情報或いは受信した情報との比較の対象となる情報をビット情報として記憶する。遠隔呼出装置７の記憶部７２は、図８（ｄ）に示す如く、例えば、複数ビット（複数バイト）を所定ビット（或いは所定バイト）毎に区切って記憶し、区切られた所定ビット（例えば、８ビットや１６ビット）毎に情報の意味を待たせて記憶する。本実施形態においては、遠隔呼出装置７の記憶部７２には、遠隔呼出装置７の機器情報等を意味する固定コードを割り当てた単位ビットＣｇ１、遠隔呼出装置７の表示部７４に表示させる情報等を意味するデータコードを割り当てた単位ビットＣｇ２、当該遠隔呼出装置７及び対応関係にある通信モジュール６の固有識別情報を意味する第一通信ＩＤコードを割り当てた単位ビットＣｇ３、解除用識別情報を意味する第二通信ＩＤコードを割り当てた単位ビットＣｇ４が記憶されている。
【０１０６】
図７に戻り、遠隔呼出装置７の制御部７３は、ＣＰＵである。遠隔呼出装置７の制御部７３には、呼出スイッチ７０、送受信部７１、記憶部７２、表示部７４、及びデータスイッチ７５が電気的に接続されている。これにより、遠隔呼出装置７の制御部７３は、呼出スイッチ７０、記憶部７２、及びデータスイッチ７５から情報を受け、遠隔呼出装置７の送受信部７１、及び表示部７４に対して必要な動作を指示する。
【０１０７】
遠隔呼出装置７において、制御部７３は、呼出スイッチ７０に対する押し操作が行われる度に、表示部７４（後述するＬＥＤ表示器７４ａ）の表示状態を呼出し状態と呼出し解除状態とに切り替える。遠隔呼出装置７において、制御部７３は、データスイッチ７５に対する押し操作が行われる度に、表示部７４（後述するディスプレイ表示器７４ｂ）の表示内容を切り替える。
【０１０８】
遠隔呼出装置７の表示部７４は、例えば、呼出し状態であることを点灯表示するＬＥＤ表示器７４ａを含む。本実施形態において、遠隔呼出装置７の表示部７４は、対応する遊技機Ｐの遊技情報を表示可能である。これに伴い、本実施形態に係る遠隔呼出装置７の表示部７４には、遊技情報である旨を表示するＬＥＤ表示器７４ａの他、遊技情報を表示するディスプレイ表示器７４ｂが含まれる。ディスプレイ表示器７４ｂには、表示態様に応じて、液晶ディスプレイや、有機ＥＬディスプレイ、セグメント式ディスプレイ等が採用される。
【０１０９】
本実施形態の遠隔操作ユニットＵは、以上の通りであり、遊技中の遊技者がホールスタッフを呼ぶ場合、呼出装置４の呼出スイッチ４０又は遠隔呼出装置７の呼出スイッチ７０を操作する。
【０１１０】
呼出装置４は、従来通り、遊技機Ｐの上方位置に配置されるため、遊技機Ｐの外装Ｐ１が遊技者側に張り出していたり、遊技機Ｐの装飾体Ｐ２が移動したりすると、通信モジュール６の呼出スイッチ４０に対する操作がし難くなる。
【０１１１】
これに伴い、遊技中の遊技者が手の届く位置にある遠隔呼出装置７の呼出スイッチ７０を操作すると、遠隔呼出装置７において、遠隔呼出装置７の制御部７３は、呼出スイッチ７０の操作に基づき、送受信部７１から遠隔呼出装置７の記憶部７２に記憶された情報（ビット情報）を送信させる。また、本実施形態の遠隔呼出装置７は、表示部７４を含むため、遠隔呼出装置７の制御部７３は、呼出スイッチ７０の操作に基づき、遠隔呼出装置７の表示部７４に呼出し状態である旨を表示させる。
【０１１２】
そして、通信モジュール６の送受信部６１は、常時受信を許可しているため、遠隔呼出装置７の送受信部７１からの情報を受信する。そうすると、通信モジュール６の制御部６３は、当該通信モジュール６の送受信部６１で受信した情報に、通信モジュール６の記憶部６２に記憶された固有識別情報と関連付けられた固有識別情報が含まれ、且つ呼出スイッチ７０が操作された旨の情報が含まれるか否かを判断する。
【０１１３】
すなわち、通信モジュール６の制御部６３は、受信した情報が、遊技機Ｐに対応して設置された通信モジュール６以外の通信モジュール６（例えば、両隣にある遊技機Ｐや背面側にある遊技機Ｐ等に対応して設置された通信モジュール６）の送受信部６１や、遊技機Ｐに対応して設置された遠隔呼出装置７以外の遠隔呼出装置７（例えば、両隣にある遊技機Ｐや背面側にある遊技機Ｐ等に対応して設置された遠隔呼出装置７）の送受信部７１から送信された情報であるか否かを判断する。
【０１１４】
そして、通信モジュール６の制御部６３は、受信した情報に、通信モジュール６の記憶部６２に記憶された固有識別情報と関連付けられた固有識別情報が含まれ、且つ呼出スイッチ４０が操作された旨の情報が含まれると判断すると、呼出装置４の制御部４３に対して呼出装置４の表示部４１に呼出し状態である旨を表示するよう指示する。すなわち、通信モジュール６の制御部６３は、当該通信モジュール６と対応関係にある遠隔呼出装置７の送受信部７１からの情報であると判断すると、呼出装置４の制御部４３に対し、呼出情報出力ポート６０ｃ及び第一入力ポート４７ａを介して呼出装置４の表示部４１に呼出し状態である旨を表示するよう指示する。
【０１１５】
呼出装置４と通信モジュール６とは、有線接続されるため一対一の関係が明らかであることから、呼出装置４の制御部４３は、通信モジュール６の制御部６３の指示に従い、呼出装置４の表示部４１に対して呼出し状態である旨を表示させる。
【０１１６】
これに対し、遊技者が呼出装置４の呼出スイッチ４０を操作した場合、呼出装置４の制御部４３は、呼出装置４の表示部４１に呼出し状態である旨を表示させるとともに、呼出スイッチ４０が操作された旨の情報を第一出力ポート４７ｃから出力する。すなわち、通信モジュール６の呼出情報入力ポート６０ａを介して通信モジュール６の制御部６３に呼出スイッチ４０が操作された旨の情報が入力される。そうすると、通信モジュール６の制御部６３は、呼出装置４の呼出スイッチ４０が操作されたと判断し、通信モジュール６の記憶部６２に記憶された当該通信モジュール６自身の固有識別情報及び呼出スイッチ４０が操作された旨の情報を送受信部６１から送信させる。
【０１１７】
遠隔呼出装置７の送受信部７１においても、常時受信を許可しているため、通信モジュール６の送受信部６１からの情報を受信する。そうすると、遠隔呼出装置７の制御部７３は、当該遠隔呼出装置７の送受信部７１で受信した情報に、遠隔呼出装置７の記憶部７２に記憶された固有識別情報と関連付けられた固有識別情報が含まれ、且つ呼出スイッチ４０が操作された旨の情報が含まれるか否かを判断する。
【０１１８】
すなわち、遠隔呼出装置７の制御部７３は、受信した情報が、遊技機Ｐに対応して設置された通信モジュール６以外の通信モジュール６（例えば、両隣にある遊技機Ｐや背面側にある遊技機Ｐ等に対応して設置された通信モジュール６）の送受信部６１や、遊技機Ｐに対応して設置された遠隔呼出装置７以外の遠隔呼出装置７（例えば、両隣にある遊技機Ｐや背面側にある遊技機Ｐ等に対応して設置された遠隔呼出装置７）の送受信部７１から送信された情報であるか否かを判断する。
【０１１９】
そして、遠隔呼出装置７の制御部７３は、受信した情報に、遠隔呼出装置７の記憶部７２に記憶された固有識別情報と関連付けられた固有識別情報が含まれ、且つ呼出スイッチ４０が操作された旨の情報が含まれると判断すると、遠隔呼出装置７の表示部７４に呼出し状態である旨を表示させる。すなわち、遠隔呼出装置７の制御部７３は、当該遠隔呼出装置７と対応関係にある通信モジュール６の送受信部６１からの情報であると判断すると、遠隔呼出装置７の表示部７４に呼出し状態である旨を表示させる。
【０１２０】
従って、本実施形態の遠隔操作ユニットＵは、呼出装置４及び遠隔呼出装置７の何れの呼出スイッチ４０，７０が操作されても、呼出装置４の表示部４１及び遠隔呼出装置７の表示部７４が呼出し状態である旨を表示する。これにより、ホールスタッフが呼出装置４の表示部４１又は遠隔呼出装置７の表示部７４の何れか一方の表示が確認できない位置で待機していたとしても、ホールスタッフが呼出装置４の表示部４１又は遠隔呼出装置７の表示部７４の何れか他方の表示を確認することができ、迅速な呼出しが可能となる。
【０１２１】
そして、ホールスタッフは、呼出しを要望する遊技者の元に到着すると、呼出装置４の表示部４１又は遠隔呼出装置７の表示部７４における呼出し状態である旨をリモートコントローラ５で解除する。
【０１２２】
すなわち、ホールスタッフがリモートコントローラ５の解除スイッチ５０を操作する。そうすると、リモートコントローラ５の送信部５２から解除スイッチ５０が操作された旨の情報が送信される。このとき、ホールスタッフは、立ち位置によって、呼出装置４の受信部４５、通信モジュール６の送受信部６１又は遠隔呼出装置７の送受信部７１の何れかをリモートコントローラ５から情報を送信する対象として選択する。
【０１２３】
呼出装置４の受信部４５がリモートコントローラ５から情報を受信した場合、呼出装置４の制御部４３は、受信部４５で受信した情報に、該呼出装置４の記憶部４４に記憶された解除用識別情報と関連付けられた固有識別情報が含まれ、且つ解除スイッチ５０が操作された旨の情報が含まれると判断すると、当該呼出装置４の表示部４１（ＬＥＤ表示器４１ａ）における呼出し状態の表示を解除させるとともに、通信ポート４７（第一出力ポート４７ｃ）を介して通信モジュール６の制御部６３に、リモートコントローラ５から受信した情報を送信する。
【０１２４】
そして、通信モジュール６の制御部６３は、呼出装置４からの情報（リモートコントローラ５からの情報）に通信モジュール６の記憶部６２に記憶された解除用識別情報と関連付けられた固有識別情報が含まれ、且つ解除スイッチ５０が操作された旨の情報が含まれると判断すると、通信モジュール６の記憶部６２に記憶された当該通信モジュール６自身の固有識別情報及び解除スイッチ５０が操作された旨の情報を送受信部６１から送信させる。
【０１２５】
そして、遠隔呼出装置７の送受信部７１が通信モジュール６から情報を受信し、遠隔呼出装置７の制御部７３が、遠隔呼出装置７の送受信部７１で受信した情報に、遠隔呼出装置７の記憶部７２に記憶された固有識別情報と関連付けられた固有識別情報が含まれ、且つ解除スイッチ５０が操作された旨の情報が含まれると判断すると、遠隔呼出装置７の表示部７４における呼出し状態の表示を解除させる。
【０１２６】
また、通信モジュール６の送受信部６１がリモートコントローラ５から情報を受信した場合、通信モジュール６の制御部６３は、当該通信モジュール６の送受信部６１で受信した情報に、通信モジュール６の記憶部６２に記憶された解除用識別情報と関連付けられた固有識別情報が含まれ、且つ解除スイッチ５０が操作された旨の情報が含まれると判断すると、呼出装置４の制御部４３に対して呼出情報出力ポート６０ｃ及び第一入力ポート４７ａを介して呼出装置４の表示部４１における呼出し状態の表示を解除させる旨を指示する。これを受け、呼出装置４の制御部４３は、呼出装置４の表示部４１における呼出し状態である旨の表示を解除する。また、通信モジュール６の制御部６３は、呼出装置４の制御部４３に対して呼出装置４の表示部４１における呼出し状態の表示を解除させる旨の指示を行うのに併せ、通信モジュール６の記憶部６２に記憶された当該通信モジュール６自身の固有識別情報及び解除スイッチ５０が操作された旨の情報を送受信部６１から送信させる。
【０１２７】
そして、遠隔呼出装置７の送受信部７１が通信モジュール６から情報を受信し、遠隔呼出装置７の制御部７３が、遠隔呼出装置７の送受信部７１で受信した情報に、遠隔呼出装置７の記憶部７２に記憶された固有識別情報と関連付けられた固有識別情報が含まれ、且つ解除スイッチ５０が操作された旨の情報が含まれると判断すると、遠隔呼出装置７の表示部７４における呼出し状態の表示を解除させる。
【０１２８】
また、遠隔呼出装置７の送受信部７１がリモートコントローラ５から情報を受信した場合、遠隔呼出装置７の制御部７３は、遠隔呼出装置７の送受信部７１で受信した情報に、遠隔呼出装置７の記憶部７２に記憶された解除用識別情報と関連付けられた固有識別情報が含まれ、且つ解除スイッチ５０が操作された旨の情報が含まれると判断すると、遠隔呼出装置７の表示部７４における呼出し状態の表示を解除させる。本実施形態において、遠隔呼出装置７の制御部７３は、遠隔呼出装置７の表示部７４における呼出し状態の表示を解除させるのに併せ、遠隔呼出装置７の記憶部７２に記憶された当該遠隔呼出装置７自身の固有識別情報及び解除スイッチ５０が操作された旨の情報を送受信部７１から送信させる。
【０１２９】
そして、通信モジュール６の送受信部６１が遠隔呼出装置７から情報を受信し、通信モジュール６の制御部６３が、通信モジュール６の送受信部６１で受信した情報に、通信モジュール６の記憶部６２に記憶された固有識別情報と関連付けられた固有識別情報が含まれ、且つ解除スイッチ５０が操作された旨の情報が含まれると判断すると、呼出装置４の制御部４３に対し、呼出情報出力ポート６０ｃ及び第一入力ポート４７ａを介して呼出装置４の表示部４１における呼出し状態の表示を解除させるように指示する。これを受け、呼出装置４の制御部４３は、呼出装置４の表示部４１における呼出し状態である旨の表示を解除する。
【０１３０】
このように、本実施形態の呼出装置遠隔操作ユニットＵは、ホールスタッフのリモートコントローラ５によって呼出し状態を解除した際にも、通信モジュール６の呼出装置４の表示部４１及び遠隔呼出装置７の表示部７４のそれぞれの呼出し状態を適切に解除できる。
【０１３１】
そして、遊技者が遠隔呼出装置７のデータスイッチ７５を操作した場合、遠隔呼出装置７の制御部７３は、遠隔呼出装置７の記憶部７２に記憶された当該遠隔呼出装置７自身の固有識別情報とともにデータスイッチ４６が操作された旨の情報を送受信部７１から送信させる。そして、通信モジュール６の送受信部６１が情報を受信し、通信モジュール６の制御部６３が、当該通信モジュール６の送受信部６１で受信した情報に、通信モジュール６の記憶部６２に記憶された固有識別情報と関連付けられた固有識別情報が含まれ、且つデータスイッチ４６が操作された旨の情報が含まれると判断すると、データ出力ポート６０ｄ及び第二入力ポート４７ｂを介し、呼出装置４の制御部４３に対して呼出装置４の表示部４１に表示させる遊技機Ｐの遊技情報を出力する旨を指示する。これを受け、呼出装置４の制御部４３は、第二出力ポート４７ｄから対応する遊技機Ｐの遊技情報を出力する。すなわち、呼出装置４の制御部４３は、第二出力ポート４７ｄ及びデータ入力ポート６０ｂを介して通信モジュール６の制御部６３に対して遊技機Ｐの遊技情報を入力する。これに伴い、通信モジュール６の制御部６３は、記憶部６２に記憶された当該通信モジュール６自身の固有識別情報とともに遊技機Ｐの遊技情報を送受信部６１から送信させる。
【０１３２】
そして、遠隔呼出装置７の送受信部７１が情報を受信し、遠隔呼出装置７の制御部７３は、当該遠隔呼出装置７の送受信部７１で受信した情報に、遠隔呼出装置７の記憶部７２に記憶された固有識別情報と関連付けられた固有識別情報が含まれ、且つ遊技機Ｐの遊技情報が含まれると判断すると、遠隔呼出装置７の表示部７４に遊技機Ｐの遊技情報を表示させる。
【０１３３】
以上のように、本実施形態に係る呼出装置遠隔操作ユニットＵは、呼出し状態である旨を表示可能な表示部４１を有し且つ遊技機Ｐの上方位置に配置される呼出装置４に設けられた通信ポート４７に対して情報通信可能に有線接続される通信モジュール６と、呼出スイッチ７０を含む遠隔呼出装置７とを備え、通信モジュール６及び遠隔呼出装置７のそれぞれは、無線通信用の送受信部６１，７１を含み、通信モジュール６は、当該通信モジュール６自身の固有識別情報を記憶した記憶部６２と、制御部６３とを含み、遠隔呼出装置７は、当該遠隔呼出装置７自身の固有識別情報を記憶した記憶部７２と、呼出スイッチ７０が操作されたときに、遠隔呼出装置７の記憶部７２に記憶された当該遠隔呼出装置７自身の固有識別情報とともに呼出スイッチ７０が操作された旨の情報を送受信部７１から送信させる制御部７３とを含み、通信モジュール６の制御部６３は、当該通信モジュール６の送受信部６１で受信した情報に、通信モジュール６の記憶部６２に記憶された固有識別情報と関連付けられた固有識別情報が含まれ、且つ呼出スイッチ７０が操作された旨の情報が含まれると判断すると、呼出装置４と通信し、呼出装置４に対して表示部４１に呼出し状態である旨を表示するよう指示する。
【０１３４】
上記構成によれば、呼出装置４及び遠隔呼出装置７が別個の位置に配置することができる。すなわち、呼出装置４が従来通り遊技機Ｐの上方位置に配置した上で、遠隔呼出装置７を遊技者の操作のし易い位置に配置することができる。また、通信モジュール６及び遠隔呼出装置７のそれぞれは、無線通信用の送受信部６１，７１を含むため、遠隔呼出装置７が遊技者にとって操作のし易い場所に配置されたとしても、呼出装置４（遊技機Ｐの上方位置）から遠隔呼出装置７にまで配線を敷設する作業が不要である。さらに、通信モジュール６の制御部６３が、当該通信モジュール６の送受信部６１で受信した情報に、通信モジュール６の記憶部６２に記憶された固有識別情報と関連付けられた固有識別情報が含まれ、且つ呼出スイッチ４０が操作された旨の情報が含まれると判断すると、呼出装置４の表示部４１に呼出し状態である旨を表示するように指示するため、遊技場Ｈにある複数の遊技機Ｐのそれぞれに対応して遠隔呼出装置７が設置されたとしても、誤動作なく対応する呼出装置４の表示部４１によって呼出し状態である旨を表示させることができる。
【０１３５】
本実施形態において、呼出装置４は、当該呼出装置４の表示部４１に呼出し状態である旨を表示させる呼出スイッチ４０を含み、遠隔呼出装置７は、呼出し状態である旨を表示する表示部７４を含み、通信モジュール６の制御部６３は、呼出装置４の呼出スイッチ４０が操作された旨の情報を呼出装置４から受けたときに、通信モジュール６の記憶部６２に記憶された当該通信モジュール６自身の固有識別情報及び呼出スイッチ４０が操作された旨の情報を送受信部６１から送信させ、遠隔呼出装置７の制御部７３は、当該遠隔呼出装置７の送受信部７１で受信した情報に、遠隔呼出装置７の記憶部７２に記憶された固有識別情報と関連付けられた固有識別情報が含まれ、且つ呼出スイッチ４０が操作された旨の情報が含まれると判断すると、当該遠隔呼出装置７の表示部７４に呼出し状態である旨を表示させる。
【０１３６】
上記構成によれば、呼出装置４の呼出スイッチ４０が操作されたときに、呼出装置４と異なる位置にある遠隔呼出装置７の表示部７４が呼出し状態である旨を表示するため、単一の遊技機Ｐに対して呼出し状態である旨を複数個所で表示される。これにより、ホールスタッフが呼出し状態であることをより確実に認識することができる。さらに、遠隔呼出装置７の制御部７３は、当該遠隔呼出装置７の送受信部７１で受信した情報に、遠隔呼出装置７の記憶部７２に記憶された固有識別情報と関連付けられた固有識別情報が含まれ、且つ呼出スイッチ４０が操作された旨の情報が含まれると判断すると、遠隔呼出装置７の表示部７４に呼出し状態である旨を表示させるため、遊技場Ｈにある複数の遊技機Ｐのそれぞれに対応して遠隔呼出装置７が設置されたとしても、誤動作なく対応する遠隔呼出装置７の表示部７４によって呼出し状態である旨を表示させることができる。
【０１３７】
本実施形態において、通信モジュール６の記憶部６２及び遠隔呼出装置７の記憶部７２は、ホールスタッフが保有するリモートコントローラ５に設定された当該リモートコントローラ５自身の固有識別情報と関連付けられた共通の解除用識別情報を記憶し、通信モジュール６の送受信部６１が情報を受信した場合、通信モジュール６の制御部６３は、当該通信モジュール６の送受信部６１で受信した情報に、通信モジュール６の記憶部６２に記憶された解除用識別情報と関連付けられた固有識別情報が含まれ、且つ呼出し状態を解除する旨の情報が含まれると判断すると、呼出装置４を通信し、呼出装置４に対して表示部４１における呼出し状態の表示を解除する旨を指示し、遠隔呼出装置７の送受信部７１が情報を受信した場合、遠隔呼出装置７の制御部７３は、遠隔呼出装置７の送受信部７１で受信した情報に、遠隔呼出装置７の記憶部７２に記憶された解除用識別情報と関連付けられた固有識別情報が含まれ、且つ呼出し状態を解除する旨の情報が含まれると判断すると、遠隔呼出装置７の記憶部７２に記憶された当該遠隔呼出装置７自身の固有識別情報及び呼出し状態を解除する旨の情報を送受信部７１から送信させ、通信モジュール６の制御部６３は、当該通信モジュール６の送受信部６１で受信した情報に、通信モジュール６の記憶部６２に記憶された固有識別情報と関連付けられた固有識別情報が含まれ、且つ呼出し状態を解除する旨の情報が含まれると判断すると、呼出装置４と通信し、呼出装置４に対して表示部４１における呼出し状態の表示を解除する旨を指示する。
【０１３８】
上記構成によれば、ホールスタッフの保有する単一（共通）のリモートコントローラ５によって、遊技場Ｈにある複数の遊技機Ｐのそれぞれに対応して設置される呼出装置４の表示部４１の呼出し状態を解除することができる。また、対応する遊技機Ｐ（遊技者）の呼出し状態を解除するに当たり、誤作動なく対応する呼出装置４の表示部４１の呼出し状態を解除することができる。
【０１３９】
本実施形態において、遠隔呼出装置７は、呼出し状態である旨を表示する表示部７４（７４ａ，７４ｂ）を含み、通信モジュール６の送受信部６１が情報を受信した場合、通信モジュール６の制御部６３は、当該通信モジュール６の送受信部６１で受信した情報に、通信モジュール６の記憶部６２に記憶された解除用識別情報と関連付けられた固有識別情報が含まれ、且つ呼出し状態を解除する旨の情報が含まれると判断すると、通信モジュール６の記憶部６２に記憶された当該通信モジュール６自身の固有識別情報及び呼出し状態を解除する旨の情報を送受信部６１から送信させ、遠隔呼出装置７の制御部７３は、遠隔呼出装置７の送受信部７１で受信した情報に、遠隔呼出装置７の記憶部７２に記憶された固有識別情報と関連付けられた固有識別情報が含まれ、且つ呼出し状態を解除する旨の情報が含まれると判断すると、当該遠隔呼出装置７の表示部７４における呼出し状態の表示を解除させ、遠隔呼出装置７の送受信部７１が情報を受信した場合、遠隔呼出装置７の制御部７３は、遠隔呼出装置７の送受信部７１で受信した情報に、遠隔呼出装置７の記憶部７２に記憶された解除用識別情報と関連付けられた固有識別情報が含まれ、且つ呼出し状態を解除する旨の情報が含まれると判断すると、当該遠隔呼出装置７の表示部７４における呼出し状態の表示を解除させる。
【０１４０】
上記構成によれば、ホールスタッフの保有する単一（共通）のリモートコントローラ５によって、遊技場Ｈにある複数の遊技機Ｐのそれぞれに対応して設置される呼出装置４の表示部４１及び遠隔呼出装置７の表示部７４の呼出し状態を解除することができる。また、対応する遊技機Ｐ（遊技者）の呼出し状態を解除するに当たり、誤作動なく対応する呼出装置４の表示部４１及び遠隔呼出装置７の表示部７４の呼出し状態を解除することができる。
【０１４１】
本実施形態において、呼出装置４は、対応する遊技機Ｐと情報通信可能であり、遠隔呼出装置７は、呼出し状態である旨を表示する表示部４１であって、対応する遊技機Ｐの遊技情報を表示可能な表示部４１と、通信モジュール６に対して遊技機Ｐの遊技情報を要求するためのデータスイッチ４６を含み、遠隔呼出装置７の制御部７３は、データスイッチ４６が操作されたときに、遠隔呼出装置７の記憶部７２に記憶された当該遠隔呼出装置７自身の固有識別情報とともにデータスイッチ４６が操作された旨の情報を送受信部７１から送信させ、通信モジュール６の制御部６３は、当該通信モジュール６の送受信部６１で受信した情報に、通信モジュール６の記憶部６２に記憶された固有識別情報と関連付けられた固有識別情報が含まれ、且つデータスイッチ４６が操作された旨の情報が含まれると判断すると、通信モジュール６の記憶部６２に記憶された当該通信モジュール６自身の固有識別情報とともに呼出装置４の保有する遊技機Ｐの遊技情報を送受信部６１から送信させ、遠隔呼出装置７の制御部７３は、当該遠隔呼出装置７の送受信部７１で受信した情報に、遠隔呼出装置７の記憶部７２に記憶された固有識別情報と関連付けられた固有識別情報が含まれ、且つ遊技機Ｐの遊技情報が含まれると判断すると、当該遠隔呼出装置７の表示部７４に遊技機Ｐの遊技情報を表示させる。
【０１４２】
上記構成によれば、呼出装置４の表示部４１だけでなく、遊技者の手の届く位置、すなわち、遊技者の視認可能な位置にある遠隔呼出装置７の表示部７４にも遊技機Ｐの遊技情報が表示されるため、呼出装置４の表示部４１の表示が遊技機Ｐの外装Ｐ１や装飾体Ｐ２によって視認し難い場合でも、遊技者が遠隔呼出装置７の表示部７４の表示によって遊技機Ｐの遊技情報を視認することができる。また、遊技場Ｈにある複数の遊技機Ｐのそれぞれに対応して遠隔呼出装置７が設置されたとしても、対応する遊技機Ｐの遊技情報を適切に遠隔呼出装置７の表示部７４に表示させることができる。すなわち、遠隔呼出装置７の表示部７４が、対応しない遊技機Ｐの遊技情報を誤って表示してしまうことを確実に防止することができる。
【０１４３】
なお、本発明は、上記各実施形態に限定されるものではなく、本発明の要旨を逸脱しない範囲で、適宜変更を加え得ることは勿論である。
【０１４４】
上記第一実施形態において、主呼出装置１の送受信部１１と遠隔呼出装置２の送受信部２１とが赤外線通信を行い、上記第二実施形態において、通信モジュール６の送受信部６１と遠隔呼出装置７の送受信部７１とが赤外線通信を行うようにしたが、これに限定されない。例えば、第一実施形態及び第二実施形態のそれぞれの態様において、送受信部１１，２１，６１，７１同士が電波で通信を行うようにしてもよい。この場合、通信チャンネル（通信周波数の割り当てられたチャンネル）を主呼出装置１、遠隔呼出装置２、通信モジュール６の固有識別情報としてしてもよい。また、普及しつつあるブルートゥース（登録商標）方式等の通信方式を採用してもよい。
【０１４５】
一般的に、ホールスタッフの保有するリモートコントローラ５の送信部５２の通信方式には、赤外線通信方式が採用されることが多いため、例えば、主呼出装置１と遠隔呼出装置７との通信、或いは通信モジュール６と遠隔呼出装置７との通信を電波で行う場合、これらの送受信部１１，２１，６１，７１は、電波用の送受信部と赤外通信用の送受信部（或いは受信部）とを含むようにしてもよい。勿論、リモートコントローラ５の送信部５２による通信が電波で行われる場合、上記実施形態と同様に、各送受信部６１，７１、或いは受信部４５の通信方式には、共通の通信方式が採用されればよい。
【０１４６】
上記第一実施形態において、一対一の関係にある主呼出装置１及び遠隔呼出装置２の固有識別情報が同一に設定され、第二実施形態において、一対一の関係にある通信モジュール６及び遠隔呼出装置７の固有識別情報が同一に設定されたが、これに限定されない。例えば、一対一の関係にある機器の固有識別情報は、対応関係を持っていれば（一対一の関係に紐付けされていれば）異なる情報であってもよい。
【０１４７】
上記各実施形態において、遠隔呼出装置２，７が表示部２４，７４を含んだが、これに限定されない。例えば、遠隔呼出装置７は、少なくとも呼出スイッチ７０と、制御部７３と、送受信部７１とを備えていてもよい。
【０１４８】
上記各実施形態において、遠隔呼出装置２，７の表示部２４，７４が、呼出し状態である旨を表示するＬＥＤ表示器２４ａ，７４ａと、遊技機Ｐの遊技情報を表示するディスプレイ表示器２４ｂ，７４ｂとを別個に含んだが、これに限定されない。例えば、遠隔呼出装置２，７の表示部２４，７４は、呼出し状態である旨を表示する構成と、遊技情報を表示する構成とを兼用させてもよい。この点、第一実施形態における主呼出装置１の表示部１０、及び第二実施形態における呼出装置４の表示部４１も同様である。
【０１４９】
上記各実施形態において、ホールスタッフの保有するリモートコントローラ３，５によって呼出し状態の表示を解除するようにしたが、これに限定されない。呼出し状態の解除は、例えば、主呼出装置１の呼出スイッチ１４や呼出装置４の呼出スイッチ４０、遠隔呼出装置２，７の呼出スイッチ２０，７０の操作によって行うようにしてもよい。
【０１５０】
この場合、表示部１０，２４，４１，７４が呼出し状態である旨を表示している状態を条件として、呼出装置４の呼出スイッチ４０又は遠隔呼出装置７の呼出スイッチ７０に対する操作にが行われたときに、送信側の装置１，２，６，７の送受信部１１，２１，６１，７１から記憶部１２，２２，６２，７２に記憶された固有識別情報とともに、呼出スイッチ１４，２０，４０，７０が操作された旨の情報を送信し、受信側の装置１，２，６，７の制御部１３，２３，６３，７３が「記憶部１２，２２，６２，７２に記憶された固有識別番号と関連付けられた固有識別番号を含み、且つ呼出スイッチ１４，２０，４０，７０が操作された旨の情報が含まれていると判断すると、表示部１０，２４，４１，７４の呼出し状態の表示を解除させるようにすればよい。但し、ホールスタッフの利便性を考慮すれば、上記各実施形態と同様に、リモートコントローラ３，５によって表示部１０，２４，４１，７４の呼出し状態の表示を解除させるようにすることが好ましいことは言うまでもない。
【０１５１】
上記各実施形態において、遠隔呼出装置２，７の表示部２４，７４が遊技情報を表示するようにしたが、これに限定されない。例えば、遠隔呼出装置２，７の表示部２４，７４は、呼出し状態である旨のみを表示するようにされてもよい。
【符号の説明】
【０１５２】
１…主呼出装置、２…遠隔呼出装置、３…リモートコントローラ、４…呼出装置、５…リモートコントローラ、６…通信モジュール、７…遠隔呼出装置、１０…表示部、１０ａ…ＬＥＤ表示器、１０ｂ…ディスプレイ表示器、１１…送受信部、１２…記憶部、１３…制御部、１４…呼出スイッチ、１５…データスイッチ、１６…音声出力部、２０…呼出スイッチ、２１…送受信部、２２…記憶部、２３…制御部、２４…表示部、２４ａ…ＬＥＤ表示器、２４ｂ…ディスプレイ表示器、２５…データスイッチ、３０…解除スイッチ、３１…記憶部、３２…送信部、３３…制御部、４０…呼出スイッチ、４１…表示部、４１ａ…ＬＥＤ表示器、４１ｂ…ディスプレイ表示器、４２…音声出力部、４３…制御部、４４…記憶部、４５…受信部、４６…データスイッチ、４７…通信ポート、４７ａ…入力ポート（第一入力ポート）、４７ｂ…入力ポート（第二入力ポート）、４７ｃ…出力ポート（第一出力ポート）、４７ｄ…出力ポート（第二出力ポート）、５０…解除スイッチ、５１…記憶部、５２…送信部、５３…制御部、６０…通信ポート、６０ａ…呼出情報入力ポート、６０ｂ…データ入力ポート、６０ｃ…呼出情報出力ポート、６０ｄ…データ出力ポート、６１…送受信部、６２…記憶部、６３…制御部、７０…呼出スイッチ、７１…送受信部、７２…記憶部、７３…制御部、７４…表示部、７４ａ…ＬＥＤ表示器、７４ｂ…ディスプレイ表示器、７５…データスイッチ、Ｃａ１，Ｃｂ１，Ｃｃ１，Ｃｄ１，Ｃｅ１，Ｃｆ１，Ｃｇ１…固定コード（単位ビット）、Ｃａ２，Ｃｂ２，Ｃｄ２，Ｃｇ２…データコード（単位ビット）、Ｃａ３，Ｃｂ３，Ｃｄ３，Ｃｆ３，Ｃｇ３…第一通信ＩＤコード（単位ビット）、Ｃａ４，Ｃｂ４，Ｃｃ４，Ｃｄ４，Ｃｅ１，Ｃｆ４，Ｃｇ４…第二通信ＩＤコード（単位ビット）、Ｐ…遊技機、Ｓ…呼出システム（遊技場用呼出システム）、Ｕ…遠隔操作ユニット（呼出装置遠隔操作ユニット）
【図１】
2019013674.tif 000003
【図２】
2019013674.tif 000004
【図３】
2019013674.tif 000005
【図４】
2019013674.tif 000006
【図５】
2019013674.tif 000007
【図６】
2019013674.tif 000008
【図７】
2019013674.tif 000009
【図８】
2019013674.tif 000010